(57)【特許請求の範囲】
【請求項１】
直鎖アルコールエトキシレート、半極性非イオン性界面活性剤、ベタイン及びスルタインを含む、５重量％〜５０重量％の界面活性剤系と、
０．０１重量％〜１５重量％のカップリング剤と、
０．０１重量％〜８重量％の二価イオンと、
１重量％〜５０重量％の湿潤剤と
を含む、洗浄組成物であって、
前記直鎖アルコールエトキシレートが、前記組成物中に１重量％〜１５重量％存在し、前記半極性非イオン性界面活性剤が、前記組成物中に０．５重量％〜２５重量％存在し、前記スルタインが、前記組成物中に４．５重量％〜１１重量％存在し、かつココカットスルタインまたはラウリルカットスルタインを含み；
前記組成物は、４００ｃｐｓ以下の粘度を有し、含まれるジエタノールアミンが、０．５重量％未満であり；
前記スルタイン対前記直鎖アルコールエトキシレートの比が１：１１〜７：４であり、前記スルタイン対前記半極性非イオン性界面活性剤の比が３：１〜１：３であり、
前記洗浄組成物が、透明であり、硬水中で１００ｍＬを超える量の一時的な泡を与える、洗浄組成物。
【請求項２】
前記スルタイン対前記直鎖アルコールエトキシレートの比が１：１〜４：１であり、前記スルタイン対前記半極性非イオン性界面活性剤の比が１：１〜１：３である、請求項１に記載の洗浄組成物。
【請求項３】
前記直鎖アルコールエトキシレートが、６〜１８個の炭素を有する脂肪族アルコールを含み、前記半極性非イオン性界面活性剤が、アミンオキシドを含む、請求項１または２に記載の洗浄組成物。
【請求項４】
前記洗浄組成物が液体であり、前記界面活性剤系が前記洗浄組成物の４５重量％〜５０重量％含まれる、請求項１〜３のいずれか一項に記載の洗浄組成物。
【請求項５】
前記洗浄組成物が、１５ｇｒａｉｎ水で、１２０ｍＬを超える量の一時的な泡を与える、請求項１〜４のいずれか一項に記載の洗浄組成物。
【請求項６】
前記洗浄組成物は、０．０５重量％〜５．０重量％の前記カップリング剤と、０．１重量％〜８重量％の前記二価イオンと、４．０重量％〜３０重量％の前記湿潤剤を含む、請求項１〜５のいずれか一項に記載の洗浄組成物。
【請求項７】
前記組成物が、使用溶液であり、３０ｃｐｓ〜１２５ｃｐｓの粘度を有する、請求項１〜６のいずれか一項に記載の洗浄組成物。
【請求項８】
前記一時的な泡が少なくとも３０秒間安定である、請求項１〜７のいずれか一項に記載の洗浄組成物。
【請求項９】
３重量％〜６．５重量％の界面活性剤系と、
０．００５重量％〜０．５重量％のカップリング剤と、
０．０１重量％〜０．８重量％の二価イオンと、
０．４重量％〜３重量％の湿潤剤と
を含む、洗浄組成物であって、
前記界面活性剤系は、直鎖アルコールエトキシレート、両性界面活性剤、ベタイン及びスルタインを含み、前記スルタインは、ココカットスルタインまたはラウリルカットスルタインを含み、
前記スルタイン対前記直鎖アルコールエトキシレートの比が１：１１〜７：４であり、前記スルタイン対前記両性界面活性剤の比が３：１〜１：３であり、
前記洗浄組成物が、透明であり、硬水中で１００ｍＬを超える量の一時的な泡を与え、
前記組成物は、４００ｃｐｓ以下の粘度を有し、含まれるジエタノールアミンが０．５重量％未満である、洗浄組成物。
【請求項１０】
前記両性界面活性剤が、半極性非イオン性界面活性剤を含む、請求項９に記載の洗浄組成物。
【請求項１１】
前記界面活性剤系が前記組成物の４．５重量％〜５．０重量％であり、前記カップリング剤が前記組成物の０．０２重量％〜０．１重量％の間であり、前記二価イオンが前記組成物の０．０８重量％〜０．２重量％であり、前記湿潤剤が前記組成物の１．０重量％〜２．０重量％である、請求項９又は１０に記載の洗浄組成物。
【請求項１２】
前記カップリング剤が芳香族スルホネートを含む、請求項９〜１１のいずれか一項に記載の洗浄組成物。
【請求項１３】
前記直鎖アルコールエトキシレートが、６〜１８個の炭素を有する脂肪族アルコールを含み、前記前記両性界面活性剤が、アミンオキシドを含む、請求項９〜１２のいずれか一項に記載の洗浄組成物。
【請求項１４】
前記界面活性剤系が前記組成物の４重量％〜５．５重量％であり、前記カップリング剤が芳香族スルホネートを含み、前記組成物の０．０１重量％〜３重量％であり、前記二価イオンが前記組成物の０．０５重量％〜０．５重量％であり、前記湿潤剤が前記組成物の０．８重量％〜２．５重量％である、請求項９〜１３のいずれか一項に記載の洗浄組成物。
【請求項１５】
表面を洗浄する方法であって、前記方法は：
請求項１〜１４のいずれか一項に記載の洗浄組成物を、前記洗浄組成物対水の比率が１：２〜１：２５０になるように水で希釈し、粘度が２５ｃｐｓ〜１２５ｃｐｓの使用溶液を作製することと；
表面を前記使用溶液と接触させることと；
前記表面をすすぐことと
を含む、方法。
【請求項１６】
前記カップリング剤が、芳香族スルホネートを含む、請求項１５に記載の方法。
【請求項１７】
前記界面活性剤系が、前記洗浄組成物の４．５重量％〜５．０重量％であり、前記カップリング剤が、前記洗浄組成物の０．０２重量％〜０．１重量％であり、前記二価イオンが、前記洗浄組成物の０．０８重量％〜０．２重量％であり、前記湿潤剤が、前記洗浄組成物の１．０重量％〜２．０重量％である、請求項１５又は１６に記載の方法。
【発明の詳細な説明】
【技術分野】
【０００１】
（関連出願の相互参照）
本出願は、２０１５年９月２８日に出願された米国特許出願第１４／８６７，６８９号の優先権を主張する。この特許出願の全内容は、明細書、特許請求の範囲、および要約、ならびにそれらの任意の数字、表または図面を含むが、これに限定されることなく、参照により本明細書に明確に組み込まれる。
【０００２】
本発明は、コカミドジエタノールアミンを実質的に含まない新規な洗浄組成物に関する。本発明の一態様において、組成物は、レオロジー調整剤であるコカミドジエタノールアミンの代わりに、界面活性剤系およびカップリング剤を利用する。界面活性剤系とカップリング剤との組み合わせは、粘度が４００ｃｐｓ以下の濃縮液体洗浄組成物を与えつつ、制御された圧力下で、従来のレオロジー調整剤および起泡剤の代わりに使用することができる。別の態様において、本発明は、固形物または液体の形態であってもよい、硬水中での使用に適した新規な洗浄組成物、例えば、深鍋および平鍋を浸漬する組成物、食器洗浄組成物、食品および飲料の起泡性洗浄剤、車両洗浄などに関する。本発明はさらに、これらの組成物を製造する方法、およびこれらの組成物を使用する方法に関する。
【背景技術】
【０００３】
配合された水性製品の水性希釈剤部分に関連する輸送コストは、水性液体製品のコストのかなりの部分である場合がある。多量に使用される場合、消毒溶液または洗浄溶液などの製品は、水性部分に関連する輸送コストのために使用するのが高価になる可能性がある。このため、多くの商品である液体製品は、水性濃縮物、水性アルコール濃縮物として、または使用位置または使用場所で水性希釈剤を用いてディスペンサ内で希釈される粘性濃縮物として、製造業者から出荷される。例えば、サービスを提供する場所、ホテル、病院、レストランなどの施設または産業施設で使用される液体洗剤および洗浄溶液は、液体濃縮物として出荷されることが多く、この液体濃縮物を適切な比率で分注デバイスを用いて混合し、希釈し、有用な溶液を得る。
【０００４】
濃縮物は、手動測定および混合からコンピュータ制御された希釈デバイスの利用までの多くの様々な方法で希釈することができる。ある一般的な希釈技術は、混合条件下で、濃縮物の流れと希釈剤の流れとを組み合わせる分注装置を利用することを含む。液体希釈剤の流れは、アスピレータを通って流れ、希釈剤がアスピレータを通過するときに、アスピレータ内に負圧が生じ、アスピレータの内部へと液体濃縮物を引き込み、液体希釈剤と混合させることができる。本発明の例示的な説明のために提示され、本発明に係るＣｏｐｅｌａｎｄらに対する米国特許第５，０３３，６４９号と、Ｆｒｅｅｓｅに対する米国特許第４，８１７，８２５号は、両方とも、液体濃縮物を希釈し、この一般的な様式で液体生成物を製造するアスピレータを備えるディスペンサを開示している。このようなアスピレータ型のディスペンサは、任意の粘度の液体濃縮物を低粘度の液体希釈剤を用いて希釈し、中粘度または低粘度の使用溶液を製造するために使用されてきた。すなわち、製品の粘度は、濃縮物の粘度と希釈剤の粘度の間の粘度まで低下する。
【０００５】
高粘度の使用溶液が望ましいことが多い。粘度が高いと、より効果的で長時間続く接触のために、傾斜した基材または垂直な基材の表面への粘着能力を高めることができる。さらに、高粘度のハンドソープはしばしば使用が容易であり、低粘度のハンドソープよりも使用感が良い傾向がある。低粘度の液体濃縮物を水で希釈し、高粘度の希釈生成物を形成することによって作られる、比較的粘度の高い使用溶液が、従来技術に記載されている。例えば、欧州特許出願公開第０３１４２３２号明細書、Ｂｅｒｔｈａらに対する米国特許第５，０５７，２４６号、ｖａｎ  Ｂａｇｇｅｍらに対する米国特許第５，９２２，６６７号、Ｌａｏらに対する米国特許第５，９２２，６６４号を参照。コカミドジエタノールアミン（ＤＥＡ）の使用は、良好な粘度を有する使用溶液を与えることを発見した。しかし、ＤＥＡは、近年、発癌性の影響に関する懸念があり、批判と規制を受けている。Ｈｏｄｇｅらの米国特許第６，２７１，１８７号には、良好な濃縮物と希釈可能な組成物が提供されており、これはＤＥＡを含んでいた。しかし、米国特許第６，２７１，１８７号明細書に教示された組成物は、硬水条件では十分に機能しなかった。例えば、硬水条件は、一時的な泡（flash foam）を減少させ、泡の安定性を損なう。このことは、典型的な洗浄設定ではさらに複雑になり、泡は、汚れにさらされ、この汚れも、泡の安定性を損なう。したがって、濃縮した形態で運搬することができ、コカミドＤＥＡなどのＤＥＡを含まず、硬水中で十分な機能を発揮する使用溶液のために希釈可能な、望ましい粘度、一時的な泡、泡安定性を有する使用溶液を開発することが必要とされている。
【０００６】
粘性の低い濃縮物を希釈することによって粘性のある使用溶液を分注するためのディスペンサは、本出願の譲受人であるミネソタ州セントポールのＥｃｏｌａｂ  Ｉｎｃ．に譲渡されたＳｔｅｉｎｄｏｒｆらの米国特許第５，８１６，４４６号に記載されている。
【０００７】
多くの洗浄組成物は、所望の粘度を与えるためにレオロジー調整剤を含む。さらに、起泡剤として作用するレオロジー調整剤は、洗浄すべき表面に対する接触時間を長くするため、特に望ましい。最も広く使用されているレオロジー調整剤／起泡剤は、コカミドＤＥＡ、またはコカミドジエタノールアミン、ココナツ油由来の脂肪酸とジエタノールアミンとの混合物を反応させることによって製造されたジエタノールアミドである。この薬剤は、ラウラミドジエタノールアミン、ココジエタノールアミド、ジエタノールアミンのココナツ油アミド、ラウラミドＤＥＡ、ラウリンジエタノールアミド、ラウロイルジエタノールアミド、およびラウリルジエタノールアミドとしても知られているだろう。
【０００８】
この薬剤は、粘性液体であり、化学式はＣＨ３（ＣＨ２）ｎＣ（＝Ｏ）Ｎ（ＣＨ２ＣＨ２ＯＨ）２であり、ｎは、脂肪酸源に依存して変化し得る。ココナツ油は、約５０％のラウリン酸を含有しているので、鎖中の炭素原子の数は変化するが、コカミドの式はＣＨ３（ＣＨ２）１０ＣＯＮ（ＣＨ２ＣＨ２ＯＨ）２と書くことができる。コカミドＤＥＡは、近年、批判を受けており、製品から除去するという規制上の圧力を受けている。コカミドＤＥＡは、皮膚アレルギーを起こしやすい個体において接触性皮膚炎を引き起こし得るアレルゲンである。より最近では、コカミドＤＥＡは、癌に関係があるとされてきた。
【０００９】
国際がん研究機関Ｉｎｔｅｒｎａｔｉｏｎａｌ  Ａｇｅｎｃｙ  ｆｏｒ  Ｒｅｓｅａｒｃｈ  ｏｎ  Ｃａｎｃｅｒ（ＩＡＲＣ）は、ココナツ油ジエタノールアミンの縮合物（コカミドＤＥＡ）をＩＡＲＣ  Ｇｒｏｕｐ  ２Ｂの発癌物質として列挙している。２０１２年６月に、カリフォルニア州環境健康ハザード評価局（Ｃａｌｉｆｏｒｎｉａ  Ｏｆｆｉｃｅ  ｏｆ  Ｅｎｖｉｒｏｎｍｅｎｔａｌ  Ｈｅａｌｔｈ  Ｈａｚａｒｄ  Ａｓｓｅｓｓｍｅｎｔ）は、癌を引き起こすことが知られている化学物質のＣａｌｉｆｏｒｎｉａ  Ｐｒｏｐｏｓｉｔｉｏｎ  ６５（１９８６）リストにコカミドＤＥＡを追加した。
【００１０】
したがって、ＤＥＡ由来の洗浄剤を置き換えることが望まれている。しかしながら、ＤＥＡ由来のレオロジー調整剤が十分な粘度を有するように作製しても、その配合物は、硬水中で、所望の体積および安定性を有する泡を与えることができないことが判明した。
【先行技術文献】
【特許文献】
【００１１】
【特許文献１】米国特許第５，０３３，６４９号明細書
【特許文献２】米国特許第４，８１７，８２５号明細書
【特許文献３】欧州特許出願公開第０３１４２３２号明細書
【特許文献４】米国特許第５，０５７，２４６号明細書
【特許文献５】米国特許第５，９２２，６６７号明細書
【特許文献６】米国特許第５，９２２，６６４号明細書
【特許文献７】米国特許第６，２７１，１８７号明細書
【特許文献８】米国特許第５，８１６，４４６号明細書
【発明の概要】
【発明が解決しようとする課題】
【００１２】
したがって、本発明の目的は、十分な起泡特性を与えつつ、コカミドＤＥＡの置き換えとして使用することができる成分の組み合わせを含む洗浄組成物を提供することである。
【００１３】
さらなる目的は、硬水中で十分な起泡特性を有する洗浄組成物を提供することである。
【００１４】
さらに別の目的は、硬水中で十分に適切に一時的な泡と、泡安定性を有する洗浄組成物を提供することである。
【００１５】
本発明のさらに別の目的は、安全で、環境に優しく、経済的に実現可能な洗浄組成物を提供することである。
【００１６】
本発明の他の目的、態様および利点は、以下の開示、図面および添付の特許請求の範囲を考慮すれば、当業者には明らかであろう。
【課題を解決するための手段】
【００１７】
洗浄組成物は、直鎖アルコールエトキシレート、半極性非イオン性界面活性剤およびスルタイン、二価イオン、カップリング剤、湿潤剤、および少なくとも１つの追加の界面活性剤のうち、２つ以上を含む界面活性剤系を含む。界面活性剤系は、典型的には、濃縮洗浄組成物の約５重量％〜約５０重量％含まれる。カップリング剤は、典型的には、濃縮洗浄組成物の約０．０１重量％〜約１５重量％含まれる。二価イオンは、典型的には、濃縮洗浄組成物の約０．０１重量％〜約８重量％含まれる。湿潤剤は、典型的には、濃縮洗浄組成物の約１重量％〜約５０重量％含まれる。
【００１８】
本発明の洗浄組成物は、有利には、コカミドＤＥＡを含まず、リン酸を含まず、ヒトの使用のために一般に安全と認められる成分（ＧＲＡＳ）を含有するように配合される。コカミドＤＥＡを含まないとは、コカミドＤＥＡを含有する化合物が添加されない組成物、混合物、または成分を指す。これらの化合物は、例えば、コカミドＤＥＡを含まない組成物、混合物または成分の異物混入によって存在し得るが、これらの化合物の濃度は、０．５重量％未満であるべきであり、０．１重量％未満であってもよく、多くは０．０１重量％未満である。
【００１９】
新規な洗浄方法も本発明の範囲内であり、洗浄組成物を洗浄すべき表面に塗布し、組成物を洗浄のために十分な時間（典型的には存在する泡が消えてなくなるまで）放置し、その後に、この洗浄組成物が汚れおよび残屑とともに除去されるまで、上述の表面をすすぐことを含む。
【００２０】
複数の実施形態が開示されているが、本発明のさらに他の実施形態は、本発明の例示的な実施形態を示す以下の詳細な説明から当業者には明らかになるであろう。したがって、図面および詳細な説明は、本質的に例示的であり、限定的ではないとみなされるべきである。
【図面の簡単な説明】
【００２１】
【図１】図１は、硬水中の様々な深鍋および平鍋用の濃縮組成物の泡体積の比較を示す。
【図２】図２は、他社の種々の深鍋および平鍋用の濃縮組成物の泡高さおよび油分散物の比較を示す。コカミドベタイン／ＡＭＰを含むＯａｓｉｓ  Ｃｏｍｐａｃ  Ｐｏｔ＆Ｐａｎは、非イオン性成分を添加しない組成物の代表例である。次いで、非イオン性成分を添加し、５％非イオン性成分、コカミドベタインについてのデータを得る。ヒドロキシスルタインを添加すると、５％非イオン性成分、コカミドベタイン／ヒドロキシスルタインについてのデータによって示されるように、耐久性が長く続く。
【発明を実施するための形態】
【００２２】
本発明の様々な実施形態は、図面を参照して詳細に説明され、同様の参照番号は、いくつかの図を通して同様の部品を表す。様々な実施形態への言及は、本発明の範囲を限定するものではない。本明細書で表される図面は、様々な実施形態に対する限定ではない。
【００２３】
本発明は、濃縮した液体形態での粘度が約４００ｃｐｓ未満であり、すぐに使用可能な希釈物の状態での粘度が約１００ｃｐｓ未満、好ましくは約５０〜１００ｃｐｓである洗浄組成物に関する。洗浄組成物は、従来の洗浄組成物に優る多くの利点を有する。例えば、従来の液体洗浄組成物は、規制下にあり、もはや多くの用途に適しているとは言えないコカミドＤＥＡのようなレオロジー調整剤を必要とする。本発明が従来の洗浄組成物に対して有する別の例示的な利点は、本発明の組成物が硬水に適していることである。
【００２４】
本発明の実施形態は、当業者によって変更され、理解され得る特定の洗浄用途に限定されない。本明細書で使用される全ての用語は、特定の実施形態のみを説明するためのものであり、いかなる様式または範囲でも限定することを意図しないことをさらに理解されたい。例えば、本明細書および添付の特許請求の範囲で使用される場合、単数形「１つの（ａ）」、「１つの（ａｎ）」および「その（ｔｈｅ）」は、その内容が明らかに他の意味であることを示さない限り、複数の指示対象を含むことができる。さらに、全ての単位、接頭語および記号は、ＳＩが許容する形式で示されてもよい。
【００２５】
明細書内に列挙された数値範囲は、範囲を規定する数字を含み、規定された範囲内のそれぞれの整数を含む。本開示全体で、本発明の様々な態様が範囲の形式で提示される。範囲の形式の記載は、単に簡便さおよび簡潔さのためのものであり、本発明の範囲に対する柔軟性のない制限として解釈されるべきではないことを理解されたい。したがって、ある範囲の記載は、その範囲内の全ての可能な部分範囲および個々の数値を具体的に開示しているとみなすべきである。例えば、１〜６のような範囲の記載は、１〜３、１〜４、１〜５、２〜４、２〜６、３〜６などの部分範囲と、この範囲内の個々の数値、例えば、１、２、３、４、５および６を具体的に開示しているとみなすべきである。これは範囲の幅に関係なく適用される。
【００２６】
本発明がより容易に理解され得るように、特定の用語が最初に定義される。他に定義されない限り、本明細書で使用される全ての技術用語および科学用語は、本発明の実施形態が属する分野の当業者によって一般的に理解されるのと同じ意味を有する。本明細書に記載されたものと同様であるか、改変されているか、または同等の多くの方法および材料を、過度の実験なしに本発明の実施形態の実施において使用することができるが、好ましい材料および方法が本明細書に記載される。本発明の実施形態の説明および請求において、以下に示す定義に従って、以下の用語が使用される。
【００２７】
用語「約」は、本明細書で使用される場合、例えば、実際の世界で濃縮物または使用溶液を作製するために使用される典型的な測定手順および液体取り扱い手順によって、これらの手順の中の故意ではないエラーによって、製造、供給源、または組成物を作製するか、または方法を実施するために使用される成分の純度における差などによって、起こり得る数値量の変動を指す。用語「約」は、特定の初期の混合物から得られる組成物についての異なる平衡条件に起因して異なる量も包含する。用語「約」によって修飾されていてもされていなくても、特許請求の範囲は、その量に対して均等なものを含む。
【００２８】
用語「活性物質」または「活性物質のパーセント」または「活性物質の重量％」または「活性物質の濃度」は、本明細書で相互に置き換え可能に用いられ、パーセントで表現される、不活性成分（例えば、水または塩）を引いた洗浄物中に含まれる成分の濃度を指す。
【００２９】
本明細書で使用される場合、用語「アルキル」または「アルキル基」は、１個以上の炭素原子を含む飽和炭化水素を指し、直鎖アルキル基（例えば、メチル、エチル、プロピル、ブチル、ペンチル、ヘキシル、ヘキシル、オクチル、ノニル、デシルなど）、環状アルキル基（または「シクロアルキル」または「脂環式」または「炭素環」基）（例えば、シクロプロピル、シクロペンチル、シクロヘキシル、シクロヘプチル、シクロオクチルなど）、分枝鎖アルキル基（例えば、イソプロピル、ｔｅｒｔ−ブチル、ｓｅｃ−ブチル、ｉｓｏブチルなど）およびアルキル置換アルキル基（例えば、アルキル置換シクロアルキル基およびシクロアルキル置換アルキル基）を含んでいる。
【００３０】
特に明記されていない限り、用語「アルキル」は、「非置換アルキル」および「置換アルキル」を両方とも含む。本明細書で使用される場合、用語「置換アルキル」は、炭化水素骨格の１個以上の炭素上の１個以上の水素を置き換える置換基を有するアルキル基を指す。このような置換基としては、例えば、アルケニル、アルキニル、ハロゲノ、ヒドロキシル、アルキルカルボニルオキシ、アリールカルボニルオキシ、アルコキシカルボニルオキシ、アリールオキシ、アリールオキシカルボニルオキシ、カルボキシレート、アルキルカルボニル、アリールカルボニル、アルコキシオキシカルボニル、アミノカルボニル、アルキルアミノカルボニル、ジアルキルアミノカルボニル、アルキルチオカルボニル、アルコキシル、ホスフェート、ホスホナト、ホスフィナト、シアノ、アミノ（アルキルアミノ、ジアルキルアミノ、アリールアミノ、ジアリールアミノおよびアルキルアリールアミノを含む）、アシルアミノ（アルキルカルボニルアミノ、アリールカルボニルアミノ、カルバモイルおよびウレイドを含む）、イミノ、スルフヒドリル、アルキルチオ、アリールチオ、チオカルボキシレート、サルフェート、アルキルスルフィニル、スルホネート、スルファモイル、スルホンアミド、ニトロ、トリフルオロメチル、シアノ、アジド、ヘテロ環、アルキルアリールまたは芳香族（ヘテロ芳香族を含む）といった基が挙げられるだろう。
【００３１】
いくつかの実施形態において、置換アルキルは、ヘテロ環基を含んでいてもよい。本明細書で使用される場合、用語「ヘテロ環基」は、環の１個以上の炭素原子が、炭素以外の元素、例えば、窒素、硫黄または酸素である、炭素環基と似た閉じた環構造を含む。ヘテロ環基は、飽和または不飽和であってもよい。例示的なヘテロ環基としては、限定されないが、アジリジン、エチレンオキシド（エポキシド、オキシラン）、チイラン（エピスルフィド）、ジオキシラン、アゼチジン、オキセタン、チエタン、ジオキセタン、ジチエタン、ジチエート、アゾロジン、ピロリジン、ピロリン、オキソラン、ジヒドロフランおよびフランが挙げられる。
【００３２】
「再付着防止剤」は、洗浄される物体に再付着せずに、水に懸濁したままにするのに役立つ化合物を指す。再付着防止剤は、洗浄される表面上の除去された汚れの再付着を減らすことに役立つために、本発明で有用である。
【００３３】
本明細書で使用される場合、用語「洗浄」とは、汚れの除去、漂白、微生物の集合の減少およびこれらの任意の組み合わせを促進するか、または補助するために使用される方法を指す。
【００３４】
本明細書で使用される場合、用語「ＤＥＡを含まない」は、ジエタノールアミンまたはココアミドＤＥＡなどのジエタノールアミン含有化合物を含まないか、またはジエタノールアミンまたはジエタノールアミン含有化合物が添加されなかった組成物、混合物または成分を指す。ジエタノールアミンまたはジエタノールアミン含有化合物が、ＤＥＡを含まない組成物、混合物または成分の異物混入によって存在し得るが、ジエタノールアミンの量は０．５重量％未満でなければならない。より好ましくは、ジエタノールアミンの量は、０．１重量％未満であり、最も好ましくは、０．０１重量％未満である。
【００３５】
本明細書で使用される場合、用語「一時的な泡（flash foam）」は、食器などの表面を洗浄する前に、水と洗浄組成物とを最初に混合して機械攪拌したときに生成する泡を指す。
【００３６】
本明細書で使用される場合、用語「泡安定性」は、泡が汚れにさらされることによって徐々に消失することに耐える相対的な能力を指す。
【００３７】
用語「一般的に安全であると認識される（ｇｅｎｅｒａｌｌｙ  ｒｅｃｏｇｎｉｚｅｄ  ａｓ  ｓａｆｅ）」、すなわち「ＧＲＡＳ」は、本明細書で使用される場合、例えば、２１  Ｃ．Ｆ．Ｒ．Ｃｈａｐｔｅｒ  １、§１７０．３８および／または５７０．３８によって定義されるように、食品医薬品局によって、ヒトが直接食べ物として摂取するのに安全であると分類されるか、または現行の使用の良好な製造実施条件に基づく成分であると分類される構成要素を指す。
【００３８】
本明細書で使用される場合、用語「硬水」は、少なくとも１５ｇｒａｉｎ（２５５ｐｐｍ）の硬度、少なくとも１７ｇｒａｉｎ（２８９ｐｐｍ）の硬度、または少なくとも２０ｇｒａｉｎ（３４０）の硬度を含むときの水を意味する。１ｇｒａｉｎ硬度は、約１７ｐｐｍに等しい。
【００３９】
本明細書で使用される場合、用語「リンを含まない」または「実質的にリンを含まない」は、リンまたはリン含有化合物を含まないか、リンまたはリン含有化合物が添加されていない組成物、混合物または成分を指す。リンまたはリン含有化合物は、リンを含まない組成物、混合物または成分の異物混入によって存在し得るが、リンの量は、０．５重量％未満でなければならない。より好ましくは、リンの量は０．１重量％未満であり、最も好ましくはリンの量は０．０１重量％未満である。
【００４０】
本明細書で使用される場合、用語「ポリマー」は、一般的に、限定されないが、ホモポリマー、コポリマー、例えばブロックコポリマー、グラフトコポリマー、ランダムコポリマーおよび交互コポリマー、ターポリマー、およびもっと高級な「ｘ」マーを含み、さらに、これらの誘導体、組み合わせおよびブレンドを含む。さらに、特に具体的に限定されていない限り、用語「ポリマー」は、限定されないが、アイソタクチック、シンジオタクチックおよびランダム対称、およびそれらの組み合わせを含む、分子の全ての可能な異性体配置を含むものとする。さらに、特に具体的に限定されていない限り、用語「ポリマー」は、分子の全ての可能な幾何学的配置を含むものとする。
【００４１】
本特許出願の目的のために、水で洗浄することによって、微生物の集合が少なくとも約５０％減少するか、またはもっと顕著に多い減少が達成されるとき、微生物の減少の成功が達成される。微生物の集合の減少度が大きいほど、保護のレベルが大きい。
【００４２】
本明細書で使用される場合、用語「汚れ」または「染み」は、非極性の油状物質を指し、この物質は、粒状物質、例えば、鉱物の泥、砂、天然鉱物物質、カーボンブラック、グラファイト、カオリン、環境粉塵などを含んでいてもよく、含んでいなくてもよい。
【００４３】
本明細書で使用される場合、用語「実質的に含まない」は、構成要素を完全に欠いているか、または構成要素が組成物の性能に影響を与えないような少量の構成要素を含む組成物を指す。構成要素は、不純物または混入物質として存在していてもよく、０．５重量％未満であるべきである。別の実施形態において、構成要素の量は、０．１重量％未満であり、さらに別の実施形態において、構成要素の量は、０．０１重量％未満である。
【００４４】
用語「スレッシュホールド剤」は、溶液からの水硬度イオンの結晶化を抑制するが、水硬度イオンと特定の錯体を形成する必要がない化合物を指す。スレッシュホールド剤には、ポリアクリレート、ポリメタクリレート、オレフィン／マレイン酸コポリマーなどが含まれるが、これらに限定されない。
【００４５】
本明細書で使用される場合、用語「食器」は、商品、例えば、食事をし、料理をする用具、皿、および他の硬質表面、例えば、シャワー、シンク、トイレ、バスタブ、カウンタートップ、窓、鏡、輸送車両および床を指す。本明細書で使用される場合、用語「食器洗浄」は、食器を洗い、洗浄し、またはすすぐことを指す。食器は、プラスチックで作られる商品も指す。本発明の組成物を用いて洗浄することができるプラスチックの種類としては、限定されないが、ポリカーボネートポリマー（ＰＣ）、アクリロニトリル−ブタジエン−スチレンポリマー（ＡＢＳ）およびポリスルホンポリマー（ＰＳ）を含むものが挙げられる。本発明の化合物および組成物を用いて洗浄することができる別の例示的なプラスチックとしては、ポリエチレンテレフタレート（ＰＥＴ）が挙げられる。
【００４６】
用語「重量パーセント（ｗｅｉｇｈｔ  ｐｅｒｃｅｎｔ）」、「ｗｔ％」、「重量パーセント（ｐｅｒｃｅｎｔ  ｂｙ  ｗｅｉｇｈｔ）」、「重量パーセント（％  ｂｙ  ｗｅｉｇｈｔ）」および様々な変形語は、本明細書で使用される場合、物質の重量を組成物の合計重量で割り算し、１００を掛け算するときの物質の濃度を指す。ここで使用される場合、「パーセント」、「％」などは、「重量パーセント」、「ｗｔ％」などと同義語であると理解されたい。
【００４７】
本発明の方法、系、装置および組成物は、本発明の構成要素および成分と、本明細書に記載される他の成分とを含んでいてもよく、これらから本質的になっていてもよく、またはこれらからなっていてもよい。本明細書で使用される場合、「〜から本質的になる」は、さらなる工程、構成要素または成分が、請求される方法および組成物の基本的な新しい特徴を著しく変えない場合にのみ、その方法および組成物が、さらなる工程、構成要素または成分を含んでいてもよいことを意味する。
【００４８】
本明細書および添付の特許請求の範囲で使用される場合、用語「構成される」は、特定のタスクを実施するか、または特定の構造に合わせるように構築されるか、または構成されるシステム、装置または他の構造を記載することも注記しておくべきである。用語「構成される」は、例えば、配置されて構成され、構築されて配置され、合わせられて構成され、合わせられ、構築され、製造され、配置されるなどの他の同様の句と相互に置き換え可能に使用することができる。
【００４９】
組成物
本発明は、表面の美しさに対して著しい腐食性または有害な影響を与えることなく、油分および食物汚れを表面から除去するための液体および固体の濃縮組成物、希釈したすぐに使用可能な組成物、使用溶液およびこの組成物を使用する方法に関する。本発明の一態様において、組成物は硬水中での使用に特に適している。本発明の一態様において、組成物を浸漬組成物の形態で調製することができる。汚れの上で焼かれた油分をはがすことに加え、この組成物は、組成物に浸漬している間および食器洗浄機の中を通過している間に、食器表面を保護する能力も有する。この組成物から作られた溶液に食器を浸漬することによって組成物を塗布することができ、これを使用し、深鍋および平鍋を食器洗浄機に通す前に、食器（例えば、深鍋および平鍋）の上の油分と食品汚れをはがす。浸漬工程は、浸漬組成物を使用せずに水に浸漬する場合、または手動で洗剤を用いて浸漬する場合と比較すると、汚れを除去しなければならない汚れの付いた食器の数が減少する。浸漬組成物は、例えば、ステンレス鋼、アルミニウムおよびプラスチックを含む様々な材料で作られた陶器に使用することができる。浸漬組成物のための特に適切な用途は、深鍋および平鍋から油分および有機汚れを除去することである。
【００５０】
浸漬組成物は、食器を食器洗浄機に１回通せば汚れが表面から実質的に除去されるように、表面から油分と汚れをはがす。さらに、浸漬組成物を推奨濃度および推奨手順で使用する場合、個人用保護具は必要とされない。
【００５１】
浸漬組成物は、金属製品に対する金属保護を与え、浸漬組成物中に浸漬したときに、推奨される洗剤濃度での長時間にわたる浸漬時間で、変色を防ぐ。浸漬組成物中に浸漬された陶器は、変色が最小限であるか、または変色が全くない状態で、一晩浸漬することができる。例えば、アルミニウム３００３および６０６１は、顕著な黒色化または変色を起こすことなく、推奨濃度での長時間にわたる浸漬時間、浸漬することができる。
【００５２】
典型的には、食器を溶液に浸漬し、その後、取り出して食器洗浄機に入れると、少量の浸漬溶液が食器と共に運ばれる。浸漬組成物は、食器を洗浄のために食器洗浄機に入れる前に使用されるため、浸漬組成物中の成分が泡を発生させることがある。浸漬組成物は、機械攪拌されたときに典型的な深鍋および平鍋用洗剤よりも起泡性が低くなるように配合される。この低い起泡性により、浸漬組成物が過剰に残留することなく、食器洗浄機と組み合わせて使用することができる。
【００５３】
洗浄組成物は、例えば、本出願の譲受人であるミネソタ州セントポールのＥｃｏｌａｂ  Ｉｎｃ．に譲渡され、本明細書に完全に記載されているかのように組み込まれるＳｔｅｉｎｄｏｒｆらに対する米国特許第５，８１６，４４６号に記載されたディスペンサを含む、液体ディスペンサから分注することができる。
【００５４】
好ましくは、洗浄組成物は、良好な一時的な泡の特性を与える。特定の実施形態において、一時的な泡の特性は、既存の洗浄組成物および洗浄方法のものよりも改善されている。さらに、洗浄組成物の好ましい実施形態は、良好な泡安定性を提供する。特定の実施形態において、泡安定性は、既存の洗浄組成物および洗浄方法の泡安定性よりも改善されている。
【００５５】
いくつかの実施形態において、洗浄組成物はＧＲＡＳである。いくつかの実施形態において、洗浄組成物は、リンを実質的に含まない。
【００５６】
一実施形態において、濃縮洗浄組成物は、約０．０１重量％〜約１５重量％のカップリング剤、約０．０１重量％〜約８重量％の二価イオン、約１重量％〜約５０重量％  ％の湿潤剤、約５重量％〜約５０重量％の界面活性剤系を含み、好ましくは、約０．０５重量％〜約１０重量％のカップリング剤、約０．０５重量％〜約６．５重量％の二価イオン、約５重量％〜約４０重量％の湿潤剤、約７．５重量％〜約４０重量％の界面活性剤系を含み、より好ましくは、約０．１重量％〜約７．５重量％のカップリング剤、約０．１重量％〜約５重量％の二価イオン、約１０重量％〜約３０重量％の湿潤剤、約９重量％〜約３０重量％の界面活性剤系を含む。
【００５７】
一実施形態において、すぐに使用可能な液体洗浄組成物は、約０．００１重量％〜約１．５重量％のカップリング剤、約０．００１重量％〜約０．８重量％の二価イオン、約０．１重量％〜約５重量％の湿潤剤、約０．５重量％〜約５重量％の界面活性剤系を含み、好ましくは、約０．００５重量％〜約１重量％のカップリング剤、約０．００５重量％〜約０．７重量％の二価イオン、約０．５重量％〜約４重量％の湿潤剤、約０．７重量％〜約４重量％の界面活性剤系を含み、より好ましくは、約０．０１重量％〜約０．７重量％のカップリング剤、約０．０１重量％〜約０．５重量％の二価イオン、約１重量％〜約３重量％の湿潤剤、および約０．９重量％〜約３重量％の界面活性剤系を含む。
【００５８】
さらに、本発明によって限定されるものではないが、列挙される全ての範囲は、範囲を規定する数を含み、定義された範囲内の各整数を含む。さらなる態様において、洗浄組成物は、硬水（例えば、１７ｇｒａｉｎまたは２０ｇｒａｉｎの水硬度）において、特に良好な起泡性を与えるときの使用に適している。
【００５９】
カップリング剤
洗浄組成物は、１つ以上のカップリング剤を含む。適切なカップリング剤としては、芳香族スルホネートが挙げられる。アルキルベンゼンスルホネート（例えば、キシレンスルホネート、トルエンスルホネートまたはクメンスルホネート）またはナフタレンスルホネートなどの芳香族スルホネート、アリールホスフェートエステルまたはアルカリールホスフェートエステル、または１〜約４０個のエチレンオキシド単位、プロピレンオキシド単位またはブチレンオキシド単位を有するそれらのアルコキシル化類似体、またはそれらの混合物も、有用な芳香族スルホネートの例である。好ましい芳香族スルホネートとしては、キシレンスルホン酸ナトリウム、トルエンスルホン酸ナトリウム、およびクメンスルホネートが挙げられる。
【００６０】
濃縮洗浄組成物において、カップリング剤は、約０．０５重量％〜約５重量％、好ましくは約０．１重量％〜約３重量％、より好ましくは約０．２重量％〜約１重量％の量で存在する。
【００６１】
すぐに使用可能な液体洗浄組成物において、カップリング剤は、約０．００５重量％〜約０．５重量％、好ましくは約０．０１重量％〜約０．３重量％、より好ましくは約０．０２重量％〜約０．１重量％の量で存在する。
【００６２】
二価イオン
本発明の組成物は、二価イオンを含有していてもよい。好ましい二価イオンは、カルシウムイオンおよびマグネシウムイオンである。二価イオンは、塩形態であってもよい。好適な二価イオン塩は、例えば、塩化物、水酸化物、酸化物、ギ酸塩、酢酸塩および／または硝酸塩を含む。
【００６３】
濃縮洗浄組成物において、二価イオンは、約０．１重量％〜約８重量％、好ましくは０．５重量％〜約５重量％、より好ましくは約０．８重量％〜約２重量％の量で存在する。
【００６４】
すぐに使用可能な洗浄組成物において、二価イオンは、約０．０１重量％〜約０．８重量％、好ましくは０．０５重量％〜約０．５重量％、より好ましくは約０．０８重量％〜約０．２重量％の量で存在する。
【００６５】
湿潤剤
洗浄組成物は、１つ以上の湿潤剤を含む。適切な湿潤剤としては、グリセロール、ヘキシレングリコール、プロピレングリコールおよびジプロピレングリコールが挙げられるが、これらに限定されない。
【００６６】
湿潤剤は、濃縮洗浄組成物中に、約４重量％〜約３０重量％、好ましくは約８重量％〜約２５重量％、より好ましくは約１２重量％〜約２０重量％の量で存在する。
【００６７】
湿潤剤は、すぐに使用可能な液体洗浄組成物中に、約０．４重量％〜約３重量％、好ましくは約０．８重量％〜約２．５重量％、より好ましくは約１重量％〜約２重量％の量で存在する。
【００６８】
界面活性剤系
本発明の洗浄組成物は、界面活性剤系を含む。界面活性剤系は、スルタインおよび直鎖アルコールエトキシレートを含む少なくとも２つの界面活性剤を含む。好ましい実施形態において、界面活性剤系は、半極性非イオン性界面活性剤およびアニオン性界面活性剤をさらに含む。さらなる界面活性剤は、界面活性剤系および／または洗浄組成物の中に存在していてもよい。界面活性剤系に使用するのに適した他の界面活性剤としては、非イオン性界面活性剤、カチオン性界面活性剤、アニオン性界面活性剤および／または両性界面活性剤が挙げられる。
【００６９】
いくつかの実施形態において、本発明の濃縮洗浄組成物は、約３０重量％〜約６５重量％の界面活性剤系、好ましくは約４０重量％〜約５５重量％の界面活性剤系、より好ましくは、約４５重量％〜約５０重量％の界面活性剤系を含む。
【００７０】
いくつかの実施形態において、本発明のすぐに使用可能な液体洗浄組成物は、約０．５重量％〜約５重量％の界面活性剤系、好ましくは約０．７重量％〜約４重量％の界面活性剤系、より好ましくは約０．９重量％〜約３重量％の界面活性剤系を含む。
【００７１】
直鎖アルコールエトキシレート
本発明の洗浄組成物は、直鎖アルコールエトキシレート非イオン性界面活性剤を含む。本明細書で使用される場合、直鎖アルコールエトキシレートは、好ましくは、脂肪族アルコールエトキシレートである。
【００７２】
エトキシル化Ｃ６−Ｃ１８脂肪族アルコールおよびＣ６−Ｃ１８エトキシル化脂肪族アルコールとプロポキシル化脂肪族アルコールを混合したものは、本発明の組成物に使用するのに適した界面活性剤である。好適なエトキシル化脂肪族アルコールとしては、少なくとも約３〜５０のエトキシル化度を有するＣ６−Ｃ１８エトキシル化脂肪族アルコールが挙げられる。特に適切なエトキシル化脂肪族アルコールとしては、Ｃ６−Ｃ１８、好ましくはＣ１０−Ｃ１８、好ましくはＣ１２−Ｃ１４が挙げられ、エトキシル化脂肪族アルコールの有機物源または合成源のいずれかに応じて変わってもよい。
【００７３】
適切なエトキシル化脂肪族アルコールは、少なくとも約３以上、好ましくは少なくとも約４以上のエトキシル化度をさらに含む。好ましくは、本発明のエトキシル化脂肪族アルコールのエトキシル化度は、３〜２０、より好ましくは約５〜１２、最も好ましくは約９である。これに加え、本発明によって限定されるものではないが、列挙されたエトキシル化度の全ての範囲は、範囲を規定する数を含み、規定された範囲内の各整数を含む。例えば、市販のエトキシル化Ｃ１３−Ｃ１５脂肪族アルコールは、７のエトキシル化度（例えば、７モルのＥＯ）を有し、約６７％のＣ１３および約３３％のＣ１５を有する分岐していないＣ１３−Ｃ１５オキソアルコールを主に含む。当業者には理解されるように、さらなる合成および有機のエトキシル化脂肪族アルコールが利用可能であり、本発明の範囲内に含まれる。特に好適な直鎖アルコールエトキシレートとしては、Ｈｕｎｔｓｍａｎ  ＣｈｅｍｉｃａｌｓによってＳｕｒｆｏｎｉｃ  Ｌ（商標）シリーズの商品名で販売されているものが挙げられる。
【００７４】
濃縮洗浄組成物は、約０．１重量％〜約１５重量％の直鎖アルコールエトキシレート、好ましくは約０．５重量％〜約１０重量％の直鎖アルコールエトキシレート界面活性剤、より好ましくは約１重量％〜約７重量％の直鎖アルコールエトキシレート界面活性剤を含む。
【００７５】
すぐに使用可能な液体洗浄組成物は、約０．０１重量％〜約１．５重量％の直鎖アルコールエトキシレート、好ましくは約０．０５重量％〜約１重量％の直鎖アルコールエトキシレート界面活性剤、より好ましくは約０．１重量％〜約０．７重量％の直鎖アルコールエトキシレート界面活性剤を含む。
【００７６】
半極性非イオン性界面活性剤
界面活性剤系は、半極性型の非イオン性界面活性剤も含んでいてもよい。一般に、半極性非イオン性物質は、高起泡剤および泡安定化剤であり、これはＣＩＰシステムにおけるその用途を制限する場合がある。しかしながら、高起泡性洗浄方法のために設計された本発明の組成物の実施形態において、半極性非イオン性物質は即座に有用である。半極性非イオン性界面活性剤には、アミンオキシド、ホスフィンオキシド、スルホキシドおよびそれらのアルコキシル化誘導体が挙げられる。
【００７７】
アミンオキシドは、次の一般式に対応する三級アミンオキシドであり、
【化１】
0006600086.tif 000002
式中、矢印は、半極性結合の従来からある表示であり；Ｒ１、Ｒ２およびＲ３は、脂肪族、芳香族、ヘテロ環、脂環式、またはそれらの組み合わせであってもよい。一般に、目的とする洗剤のアミンオキシドの場合、Ｒ１は、８〜２４個の炭素原子を含むアルキル基であり；Ｒ２およびＲ３は、１〜３個の炭素原子を含むアルキルまたはヒドロキシアルキルまたはそれらの混合物であり；Ｒ２およびＲ３は、例えば、酸素原子または窒素原子を介して互いに結合し、環構造を形成していてもよく；Ｒ４は、アルカリまたは２〜３個の炭素原子を含むヒドロキシアルキレン基であり；ｎは、０〜２０の範囲である。
【００７８】
有用な水溶性アミンオキシド界面活性剤は、ココナツまたはタローアルキルジ−（低級アルキル）アミンオキシドから選択され、その具体例は、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシドおよび３−ドデコキシ−２−ヒドロキシプロピルジ（２−ヒドロキシエチル）アミンオキシドである。
【００７９】
有用な半極性非イオン性界面活性剤には、以下の構造を有する水溶性ホスフィンオキシドも含まれる。
【化２】
0006600086.tif 000003
式中、矢印は、半極性結合の従来からある表示であり；Ｒ１は、鎖長が１０〜２４個の炭素原子であるアルキル、アルケニルまたはヒドロキシアルキル部分であり；Ｒ２およびＲ３は、それぞれ、１〜３個の炭素原子を含むアルキル基またはヒドロキシアルキル基から別個に選択される各アルキル部分である。
【００８０】
有用なホスフィンオキシドの例には、ジメチルデシルホスフィンオキシド、ジメチルテトラデシルホスフィンオキシド、メチルエチルテトラデシルホスフィンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシドおよびビス（ヒドロキシメチル）テトラデシルホスフィンオキシドが含まれる。
【００８１】
本明細書で有用な半極性非イオン性界面活性剤は、以下の構造を有する水溶性スルホキシド化合物も含み、
【化３】
0006600086.tif 000004
式中、矢印は、半極性結合の従来からある表示であり；Ｒ１は、８〜２８個の炭素原子、０〜５個のエーテル結合および０〜２個のヒドロキシル置換基からなるアルキルまたはヒドロキシアルキル部分であり；Ｒ２は、１〜３個の炭素原子を有するアルキル基およびヒドロキシアルキル基からなるアルキル部分である。
【００８２】
これらのスルホキシドの有用な例には、ドデシルメチルスルホキシド；３−ヒドロキシトリデシルメチルスルホキシド；３−メトキシトリデシルメチルスルホキシド；および３−ヒドロキシ−４−ドデコキシブチルメチルスルホキシドが挙げられる。
【００８３】
理論に拘束されることを望まないが、組成物に半極性非イオン性界面活性剤を使用すると、すぐに使用可能な組成物を含め、液体組成物に透明性を与えると考えられる。半極性非イオン性界面活性剤を使用しない場合、すぐに使用可能な組成物は濁っていた。驚くべきことに、半極性非イオン性物質を組成物に添加すると、液体組成物は透明性を維持した。
【００８４】
濃縮洗浄組成物は、約０．５重量％〜約２５重量％の半極性非イオン性界面活性剤、好ましくは約１重量％〜約１８重量％の半極性非イオン性界面活性剤、より好ましくは約４重量％〜約１２重量％の半極性非イオン性界面活性剤を含む。
【００８５】
すぐに使用可能な液体洗浄組成物は、約０．０５重量％〜約２．５重量％の半極性非イオン性界面活性剤、好ましくは約０．１重量％〜約２重量％の半極性非イオン性界面活性剤、より好ましくは約０．４重量％〜約１．５重量％の半極性非イオン性界面活性剤を含む。
【００８６】
スルタイン
界面活性剤系は、スルタインも含む。スルタインは、両性界面活性剤の部分集合である双性イオン性界面活性剤の一種である。本発明に有用なスルタインは、式（Ｒ（Ｒ１）２Ｎ＋Ｒ２ＳＯ３−を有する化合物であり、式中、ＲはＣ６−Ｃ１８ヒドロカルビル基であり、各Ｒ１は通常独立してＣ１−Ｃ３アルキル、例えばメチルであり、Ｒ２はＣ１−Ｃ６ヒドロカルビル基、例えばＣ１−Ｃ３アルキレンまたはヒドロキシアルキレン基である。特に好適なスルタインには、ココカットスルタインおよび／またはラウリルカットスルタインが含まれる。特に適切なスルタインはＳｏｌｖａｙによってＭａｃｋａｍ  ５０−ＳＢ（商標）の商品名で販売されている。
【００８７】
理論に拘束されることを望まないが、スルタインを含有することにより組成物の硬水相溶性が改善されると考えられる。驚くべきことに、試験において、スルタインを含む組成物は、硬水中で改善された一時的な泡および泡安定性を与えることが見出された。これは、良好な一時的な泡を得ることと、硬水中の泡安定性が困難であるため、有益である。
【００８８】
濃縮洗浄組成物は、約０．５重量％〜約２５重量％のスルタイン、好ましくは約１重量％〜約１８重量％のスルタイン、より好ましくは約４．５重量％〜約１１重量％のスルタインを含む。
【００８９】
すぐに使用可能な液体洗浄組成物は、約０．０５重量％〜約２．５重量％のスルタイン、好ましくは約０．１重量％〜約２重量％のスルタイン、より好ましくは約０．５重量％〜約１重量％のスルタインを含む。
【００９０】
アニオン性界面活性剤
本発明の組成物は、１つ以上のアニオン性界面活性剤も含んでいてもよい。アニオン性界面活性剤は、親水性物質上に負の電荷を有する表面活性分子であるか、またはｐＨが中性またはもっと高くならない限り、分子の親水性部分が電荷を有していない界面活性剤である（例えば、カルボン酸）。カルボキシレート、スルホネート、サルフェートおよびホスフェートは、アニオン性界面活性剤に見られる極性（親水性）可溶化基である。これらの極性基に会合するカチオン（対イオン）のうち、ナトリウム、リチウムおよびカリウムは水溶性を付与し、アンモニウムおよび置換アンモニウムイオンは、水溶性および油溶性の両方を与え、カルシウム、バリウムおよびマグネシウムは油溶性を促進する。
【００９１】
本発明の組成物に使用するのに適したアニオン性サルフェート界面活性剤には、アルキルエーテルサルフェート、アルキルサルフェート、直鎖および分枝鎖の一級および二級のアルキルサルフェート、アルキルエトキシサルフェート、脂肪族オレイルグリセロールサルフェート、アルキルフェノールエチレンオキシドエーテルサルフェート、Ｃ５−Ｃ１７アシル−Ｎ−（Ｃ１−Ｃ４アルキル）および−Ｎ−（Ｃ１−Ｃ２ヒドロキシアルキル）グルカミンサルフェート、およびアルキル多糖のサルフェート、例えばアルキルポリグルコシドのサルフェートなどが挙げられる。アルキルサルフェート、アルキルポリ（エチレンオキシ）エーテルサルフェートおよび芳香族ポリ（エチレンオキシ）サルフェート、例えばエチレンオキシドおよびノニルフェノール（通常１分子当たり１〜６個のオキシエチレン基を有する）のサルフェートまたは縮合生成物も含まれる。
【００９２】
本発明の組成物に使用するのに適したアニオン性スルホネート界面活性剤には、アルキルスルホネート、直鎖および分岐鎖の一級および二級のアルキルスルホネート、および置換基を有するか、または有さない芳香族スルホネートも含まれる。好ましいアルキルスルホネートは、アルキルアリールスルホネートであり、限定されないが、直鎖アルキルベンゼンスルホネートを含む。適切な直鎖アルキルベンゼンスルホネートは、中和され、スルホネートを形成する酸として提供されてもよい直鎖ドデシルベンジルスルホネートを含む。さらなる適切なアルキルアリールスルホネートには、キシレンスルホネート、クメンスルホネート、およびナトリウムトルエンスルホネートが含まれる。
【００９３】
本組成物に使用するのに適したアニオン性カルボキシレート界面活性剤には、カルボン酸（および塩）、例えばアルカン酸（およびアルカノエート）、エステルカルボン酸（例えばコハク酸アルキル）、エーテルカルボン酸、スルホン化脂肪酸、例えばスルホン化オレイン酸などが挙げられる。このようなカルボキシレートとしては、アルキルエトキシカルボキシレート、アルキルアリールエトキシカルボキシレート、アルキルポリエトキシポリカルボキシレート界面活性剤および石鹸（例えば、アルキルカルボキシル）が挙げられる。本発明の組成物に有用な第二級カルボキシレートとしては、二級炭素に結合したカルボキシル単位を含むものが挙げられる。二級炭素は、例えば、ｐ−オクチル安息香酸の場合のように、またはアルキル置換シクロヘキシルカルボキシレートの場合のように、環構造の中に存在していてもよい。二級カルボキシレート界面活性剤は、典型的にはエーテル結合を含まず、エステル結合もヒドロキシル基も含まない。さらに、それらは、典型的には、頭部基（両親媒性部分）に窒素原子を欠いている。適切な二級石鹸界面活性剤は、典型的には合計で１１〜１３個の炭素原子を含むが、より多くの炭素原子（例えば、１６個まで）が存在してもよい。適切なカルボキシレートには、アシルグルタメート、アシルペプチド、サルコシネート（例えば、Ｎ−アシルサルコシネート）、タウレート（例えば、Ｎ−アシルタウレートおよびメチルタウリドの脂肪酸アミド）などのアシルアミノ酸（および塩）も含まれる。
【００９４】
適切なアニオン性界面活性剤としては、以下の式のアルキルエトキシカルボキシレートまたはアルキルアリールエトキシカルボキシレート
Ｒ−Ｏ−（ＣＨ２ＣＨ２Ｏ）ｎ（ＣＨ２）ｍ−ＣＯ２Ｘ（３）
が挙げられ、式中、Ｒは、Ｃ８〜Ｃ２２アルキル基または
【化４】
0006600086.tif 000005
であり、ここで、Ｒ１は、Ｃ４〜Ｃ１６アルキル基であり；ｎは、１〜２０の整数であり、ｍは１〜３の整数であり、Ｘは、水素、ナトリウム、カリウム、リチウム、アンモニウムのような対イオン、またはモノエタノールアミンもしくはトリエタノールアミンのようなアミン塩である。いくつかの実施形態において、ｎは４〜１０の整数であり、ｍは１である。いくつかの実施形態において、ＲはＣ８−Ｃ１６アルキル基である。いくつかの実施形態において、ＲはＣ１２−Ｃ１４アルキル基であり、ｎは４であり、ｍは１である。
【００９５】
他の実施形態において、Ｒは
【化５】
0006600086.tif 000006
であり、Ｒ１はＣ６−Ｃ１２アルキル基である。さらに他の実施形態において、Ｒ１はＣ９アルキル基であり、ｎは１０であり、ｍは１である。
【００９６】
このようなアルキルトキシカルボキシレートおよびアルキルアリールエトキシカルボキシレートは市販されている。これらのエトキシカルボキシレートは、典型的には酸形態として入手可能であり、容易にアニオン性形態または塩形態に変換することができる。市販のカルボキシレートには、Ｎｅｏｄｏｘ  ２３−４、Ｃ１２−１３アルキルポリエトキシ（４）カルボン酸（Ｓｈｅｌｌ  Ｃｈｅｍｉｃａｌ）、Ｅｍｃｏｌ  ＣＮＰ−１１０、Ｃ９アルキルアリールポリエトキシ（１０）カルボン酸（Ｗｉｔｃｏ  Ｃｈｅｍｉｃａｌ）が含まれる。カルボキシレートは、Ｃｌａｒｉａｎｔからも入手可能であり、例えば、製品Ｓａｎｄｏｐａｎ（登録商標）ＤＴＣ、Ｃ１３アルキルポリエトキシ（７）カルボン酸である。
【００９７】
アニオン性界面活性剤を含有する実施形態において、濃縮洗浄組成物は、約５重量％〜約４０重量％のアニオン性界面活性剤、好ましくは約１０重量％〜約３５重量％のアニオン性界面活性剤、より好ましくは約２０重量％〜約３０重量％のアニオン性界面活性剤を含む。
【００９８】
すぐに使用可能な液体洗浄組成物は、約０．５重量％〜約４重量％のアニオン性界面活性剤、好ましくは約１重量％〜約３．５重量％のアニオン性界面活性剤、より好ましくは約２重量％〜約３重量％のアニオン性界面活性剤を含む。
【００９９】
さらなる成分
洗浄組成物の成分は、さらに、食器洗浄用途における使用に適した様々な機能成分と組み合わせることができる。いくつかの実施形態において、１つ以上のカップリング剤、二価イオン、湿潤剤および界面活性剤系を含む洗浄組成物は、濃縮洗浄組成物の総重量の大部分または実質的に全てを構成する。例えば、いくつかの実施形態において、さらなる機能性成分がほとんど配置されていないか、または全く配置されていない。
【０１００】
他の実施形態において、さらなる成分が組成物に含まれてもよい。さらなる成分は、組成物に所望の特性および機能性を提供する。さらなる成分のいくつかの特定の例が、以下にさらに詳細に記載されており、記載されている特定の材料は単なる一例として与えられているが、広範囲の他のさらなる成分が使用されてもよい。例えば、以下で論じるさらなる成分の多くは、洗浄に使用される材料に関し、具体的には食器洗浄用途に関する。しかしながら、他の実施形態は、他の用途において使用するためのさらなる成分を含んでいてもよい。
【０１０１】
好ましい実施形態において、組成物はＤＥＡを含まない。好ましい実施形態において、組成物はリンを含まない。
【０１０２】
他の実施形態において、組成物は、アルカリ源、再付着防止剤、漂白剤、キレート／金属イオン封鎖剤、腐食抑制剤、洗剤ビルダーまたはフィラー、染料および／または付臭剤、酵素、酵素安定化系、中和剤、ｐＨ調節剤、塩類、ケイ酸塩、さらなる界面活性剤、および／または増粘剤を含んでいてもよい。
【０１０３】
アルカリ源
洗浄組成物は、アニオン性界面活性剤を中和し、組成物の汚れ除去性能を改善するために、場合により、少量ではあるが有効量の１種以上のアルカリ源を含んでいてもよい。したがって、アルカリ金属またはアルカリ土類金属の水酸化物または他の水和可能なアルカリ源は、好ましくは、アニオン性界面活性剤を中和するのに有効な量で洗浄組成物に含まれる。しかし、アルカリ金属水酸化物または他のアルカリ源は、組成物の固化において、ある程度の助けとなり得ることが理解されよう。アルカリ金属およびアルカリ土類金属の水酸化物の量は、上述のようにアニオン性界面活性剤を中和するために必要であるが、水溶液のｐＨが９を超えないような点まで、さらなるアルカリ源が存在してもよい。
【０１０４】
適切なアルカリ金属水酸化物としては、例えば、水酸化ナトリウムまたは水酸化カリウムが挙げられる。適切なアルカリ土類金属水酸化物としては、例えば、水酸化マグネシウムが挙げられる。アルカリ金属水酸化物またはアルカリ土類金属水酸化物は、組成物に固体球状物の形態で、水溶液に溶解して、またはそれらの組み合わせで添加されてもよい。アルカリ金属水酸化物またはアルカリ土類金属水酸化物は、約１２〜１００ＵＳメッシュの範囲の粒径の混合物を有する小球状物の形態で、または水溶液として、例えば５０重量％〜７３重量％の溶液として市販されている。アルカリ金属水酸化物またはアルカリ土類金属水酸化物は、固体アルカリ物質の水和に起因する組成物中で発生する熱の量を減少させるために、水溶液、好ましくは５０重量％水酸化物溶液の形態で添加されることが好ましい。
【０１０５】
洗浄組成物は、アルカリ金属水酸化物以外の第２のアルカリ源を含むことができる。第２のアルカリ源の例としては、ケイ酸ナトリウムまたはケイ酸カリウム、またはメタケイ酸ナトリウムまたはメタケイ酸カリウムなどの金属ケイ酸塩、炭酸ナトリウムまたは炭酸カリウムなどの金属炭酸塩、重炭酸塩またはセスキ炭酸塩など；ホウ酸ナトリウムまたはホウ酸カリウムなどの金属ホウ酸塩；エタノールアミンおよびアミン；および他の同様のアルカリ源が挙げられる。第２のアルカリ性薬剤は、一般に、水性または粉末のいずれかの形態で入手可能であり、いずれも本発明の洗浄組成物の配合に有用である。
【０１０６】
再付着防止剤
洗浄組成物は、場合により、洗浄溶液中の汚れの持続的懸濁を促進し、除去された汚れが洗浄される基材上に再付着することを防止することができる再付着防止剤を含むことができる。適切な再付着防止剤の例には、脂肪酸アミド、フルオロカーボン界面活性剤、複合リン酸エステル、スチレン無水マレイン酸コポリマー、およびヒドロキシエチルセルロース、ヒドロキシプロピルセルロースなどのセルロース誘導体が含まれる。
【０１０７】
場合により、濃縮洗浄組成物は、約０．５重量％〜約１０重量％、好ましくは約１重量％〜約５重量％の再付着防止剤を含むことができる。場合により、すぐに使用可能な液体洗浄組成物は、再付着防止剤を約０．０５重量％〜約１重量％、好ましくは約０．１重量％〜約０．５重量％含むことができる。
【０１０８】
漂白剤
場合により、漂白剤を本発明のいくつかの実施形態に含めることができる。適切な漂白剤は、テトラアセチルエチレンジアミンなどの活性化剤を含むか、または含まない、過酸化水素、過ホウ酸塩、炭酸ナトリウムペルオキシ水和物、リン酸ペルオキシ水和物、過硫酸カリウムおよび過ホウ酸ナトリウムの一水和物および四水和物のような過酸素または活性酸素源を含むことができる。
【０１０９】
場合により、洗浄組成物は、少量ではあるが有効量の漂白剤を含む。濃縮洗浄組成物は、約０．１重量％〜約１０重量％、好ましくは約１重量％〜約６重量％を含むことができる。すぐに使用可能な液体洗浄組成物は、約０．０１重量％〜約１重量％、好ましくは約０．１重量％〜約０．６重量％を含むことができる。
【０１１０】
キレート化／金属イオン封鎖剤
洗浄組成物は、場合により、アミノカルボン酸、縮合リン酸塩、ホスホネート、ポリアクリル酸塩などのようなキレート化／金属イオン封鎖剤を含むことができる。一般に、キレート化剤は、金属イオンが洗浄組成物の他の洗浄成分の作用を妨害することを防ぐために、天然水に通常見られる金属イオンを配位（すなわち結合）することができる分子である。キレート／金属イオン封鎖剤は、有効量含まれる場合、スレッシュホールド剤（ｔｈｒｅｓｈｏｌｄ  ａｇｅｎｔ）としても機能することができる。イミノジスクシネート（ＢａｙｅｒからＩＤＳ（商標）として市販されている）をキレート化剤として使用してもよい。
【０１１１】
有用なアミノカルボン酸には、例えば、Ｎ−ヒドロキシエチルイミノ二酢酸、ニトリロ三酢酸（ＮＴＡ）、エチレンジアミン四酢酸（ＥＤＴＡ）、Ｎ−ヒドロキシエチルエチレンジアミン三酢酸（ＨＥＤＴＡ）、ジエチレントリアミン五酢酸（ＤＴＰＡ）などが含まれる。
【０１１２】
本組成物に有用な縮合リン酸塩の例には、オルトリン酸ナトリウムおよびカリウム、ピロリン酸ナトリウムおよびカリウム、トリポリリン酸ナトリウム、ヘキサメタリン酸ナトリウムなどが含まれる。
【０１１３】
組成物は、１−ヒドロキシエタン−１，１−ジホスホン酸などのホスホネートを含むことができる。
【０１１４】
ポリマーのポリカルボキシレートも組成物中に含まれていてもよい。洗浄剤として使用するのに適したこれらの物質は、側鎖カルボキシレート基を有しており、例えば、ポリアクリル酸、マレイン酸／オレフィンコポリマー、アクリル／マレイン酸コポリマー、ポリメタクリル酸、アクリル酸−メタクリル酸コポリマー、加水分解ポリアクリルアミド、加水分解ポリメタクリルアミド、加水分解ポリアミド−メタクリルアミドコポリマー、加水分解ポリアクリロニトリル、加水分解ポリメタクリロニトリル、加水分解アクリロニトリル−メタクリロニトリルコポリマーなどが挙げられる。キレート化剤／金属イオン封鎖剤のさらなる考察については、Ｋｉｒｋ−Ｏｔｈｍｅｒ、Ｅｎｃｙｃｌｏｐｅｄｉａ  ｏｆ  Ｃｈｅｍｉｃａｌ  Ｔｅｃｈｎｏｌｏｇｙ、第３版、第５巻、３３９〜３６６頁および第２３巻、３１９〜３２０頁を参照されたい。この開示は、本明細書に参考として組み込まれる。
【０１１５】
場合により、濃縮洗浄組成物は、約０．１重量％〜約５重量％、好ましくは約０．５重量％〜約３重量％のキレート化／金属イオン封鎖剤を含むことができる。場合により、すぐに使用可能な液体洗浄組成物は、約０．０１重量％〜約０．５重量％、好ましくは約０．０５重量％〜約０．３重量％を含むことができる。
【０１１６】
腐食抑制剤
腐食抑制剤は、場合により、腐食抑制剤が存在しないことを除いて同一の使用溶液について、ガラスの腐食および／またはエッチングの速度よりも小さいガラスの腐食および／またはエッチングの速度を示す使用溶液を提供するのに十分な量で液体洗浄組成物中に含まれてもよい。使用溶液は、少なくとも約６ｐｐｍ（パーツパーミリオン）の腐食抑制剤を含み、所望の腐食防止特性を与えることが期待される。より多くの量の腐食抑制剤を、有害な影響なく、使用溶液中で使用し得ることが期待される。使用溶液は、約６ｐｐｍ〜約３００ｐｐｍの腐食抑制剤、約２０ｐｐｍ〜約２００ｐｐｍの腐食抑制剤を含むことができる。適切な腐食抑制剤の例には、アルミニウムイオン源と亜鉛イオン源との組み合わせ、ならびにアルカリ金属ケイ酸塩またはその水和物が含まれるが、これらに限定されない。
【０１１７】
腐食抑制剤は、アルミニウムイオン源と亜鉛イオン源との組み合わせを指していてもよい。固体洗剤組成物が使用溶液の形態で提供される場合、アルミニウムイオン源および亜鉛イオン源は、それぞれアルミニウムイオンおよび亜鉛イオンを与える。腐食抑制剤の量は、アルミニウムイオン源と亜鉛イオン源を合わせた量に基づいて計算される。使用溶液中にアルミニウムイオンを与えるものは、アルミニウムイオン源と呼ぶことができ、使用溶液中に供給されたときに亜鉛イオンを与えるものは、亜鉛イオン源と呼ぶことができる。アルミニウムイオン源および／または亜鉛イオン源が反応してアルミニウムイオンおよび／または亜鉛イオンを形成する必要はない。アルミニウムイオンは、アルミニウムイオン源と考えることができ、亜鉛イオンは、亜鉛イオン源と考えることができる。アルミニウムイオン源および亜鉛イオン源は、有機塩、無機塩、およびそれらの混合物として提供することができる。
【０１１８】
例示的なアルミニウムイオン源としては、限定されないが、アルミン酸ナトリウム、臭化アルミニウム、塩化アルミニウム、塩化アルミニウム、ヨウ化アルミニウム、硝酸アルミニウム、硫酸アルミニウム、酢酸アルミニウム、ギ酸アルミニウム、酒石酸アルミニウム、乳酸アルミニウム、オレイン酸アルミニウム、臭素酸アルミニウム、ホウ酸アルミニウム、硫酸アルミニウムカリウム、硫酸アルミニウムアルミニウムなどのアルミニウム塩が挙げられる。例示的な亜鉛イオン源としては、限定されないが、塩化亜鉛、硫酸亜鉛、硝酸亜鉛、ヨウ化亜鉛、チオシアン酸亜鉛、フルオロケイ酸亜鉛、重クロム酸亜鉛、塩素酸亜鉛、亜鉛酸ナトリウム、グルコン酸亜鉛、酢酸亜鉛、安息香酸亜鉛、乳酸亜鉛、ギ酸亜鉛、臭素酸亜鉛、臭化亜鉛、フッ化亜鉛、フルオロケイ酸亜鉛およびサリチル酸亜鉛などの亜鉛塩が挙げられる。
【０１１９】
場合により、濃縮洗浄組成物は、腐食抑制剤の量が約０．１重量％〜約５重量％、好ましくは約０．５重量％〜約３重量％になるような量で金属腐食抑制剤を含むことができる。場合により、すぐに使用可能な液体洗浄組成物は、約０．０１重量％〜約０．５重量％、好ましくは約０．０５重量％〜約０．３重量％の腐食抑制剤を含むことができる。
【０１２０】
洗剤ビルダーまたはフィラー
洗浄組成物は、場合により、それ自体が洗浄剤としては機能しないが、洗浄剤と連携して組成物の全体的な洗浄能力を高める１つ以上の潜在フィラーを少量ではあるが有効量含むことができる。本発明の洗浄組成物に使用するのに適した充填剤の例には、硫酸ナトリウム、塩化ナトリウム、デンプン、糖類、プロピレングリコールなどのＣ１−Ｃ１０アルキレングリコールなどが含まれる。無機洗剤ビルダーまたはリン酸塩含有洗剤ビルダーは、ポリリン酸塩（例えば、トリポリリン酸、ピロリン酸、およびガラス状ポリマーメタリン酸）のアルカリ金属塩、アンモニウム塩およびアルカノールアンモニウム塩を含んでいてもよい。非リン酸塩ビルダーも使用することができる。
【０１２１】
場合により、濃縮洗浄組成物は、約１重量％〜約２０重量％、好ましくは約３重量％〜約１５重量％の量の洗剤フィラーを含むことができる。場合により、すぐに使用可能な洗浄組成物は、約０．１重量％〜約２重量％、好ましくは約０．３重量％〜約１．５重量％の量の洗剤フィラーを含むことができる。
【０１２２】
染料／付臭剤
種々の染料、香りを含む着臭剤、他の審美性向上剤も、洗浄組成物に含まれていてもよい。染料は、例えば、Ｄｉｒｅｃｔ  Ｂｌｕｅ  ８６（Ｍｉｌｅｓ）、Ｆａｓｔｕｓｏｌ  Ｂｌｕｅ（Ｍｏｂａｙ  Ｃｈｅｍｉｃａｌ  Ｃｏｒｐ．）、Ａｃｉｄ  Ｏｒａｎｇｅ  ７（Ａｍｅｒｉｃａｎ  Ｃｙａｎａｍｉｄ）、Ｂａｓｉｃ  Ｖｉｏｌｅｔ  １０（Ｓａｎｄｏｚ）、Ａｃｉｄ  Ｙｅｌｌｏｗ  ２３（ＧＡＦ）、Ａｃｉｄ  Ｙｅｌｌｏｗ  １７（Ｓｉｇｍａ  Ｃｈｅｍｉｃａｌ）、Ｓａｐ  Ｇｒｅｅｎ（Ｋｅｙｓｔｏｎ  Ａｎａｌｉｎｅ  ａｎｄ  Ｃｈｅｍｉｃａｌ）、Ｍｅｔａｎｉｌ  Ｙｅｌｌｏｗ（Ｋｅｙｓｔｏｎｅ  Ａｎａｌｉｎｅ  ａｎｄ  Ｃｈｅｍｉｃａｌ）、Ａｃｉｄ  Ｂｌｕｅ  ９（Ｈｉｌｔｏｎ  Ｄａｖｉｓ）、Ｓａｎｄｏｌａｎ  Ｂｌｕｅ／Ａｃｉｄ  Ｂｌｕｅ  １８２（Ｓａｎｄｏｚ）、Ｈｉｓｏｌ  Ｆａｓｔ  Ｒｅｄ（Ｃａｐｉｔｏｌ  Ｃｏｌｏｒ  ａｎｄ  Ｃｈｅｍｉｃａｌ）、Ｆｌｕｏｒｅｓｃｅｉｎ（Ｃａｐｉｔｏｌ  Ｃｏｌｏｒ  ａｎｄ  Ｃｈｅｍｉｃａｌ）、Ａｃｉｄ  Ｇｒｅｅｎ  ２５（Ｃｉｂａ−Ｇｅｉｇｙ）などとして、組成物の外観を変えるために含まれていてもよい。
【０１２３】
組成物中に含まれていてもよい香料または香りとしては、例えば、テルペノイド、例えば、シトロネロール、アルデヒド、例えば、アミルシンナムアルデヒド、ジャスミン、例えば、ＣｌＳ−ジャスミンまたはジャスマル、バニリンなどが挙げられる。
【０１２４】
酵素
場合により、洗浄組成物は、１つ以上の酵素を含んでいてもよく、酵素は、タンパク質に由来する汚れ、炭水化物に由来する汚れ、またはトリグリセリドに由来する汚れを基材から除去するために、洗浄し、汚れを除去し、消毒する前浸漬、例えば、平らな食器、カップおよびボウル、深鍋および平鍋のための前浸漬、医療機器または歯科機器のための前浸漬、または肉を切る装置のための前浸漬のために、機械による食器洗浄のために、洗濯および繊維製品の洗浄および汚れ除去のために、カーペットの洗浄および汚れ除去のために、その場での洗浄およびその場での汚れ除去のために、食品を加工する表面および装置の洗浄および汚れ除去のために、配水管洗浄のために、洗浄のための前浸漬などのために望ましい活性を与えることができる。酵素は、表面または繊維製品に出会った１つ以上の種類の汚れ残渣を分解または変化させることによって、汚れを除去するか、または界面活性剤または洗浄組成物の他の成分によって汚れがもっと除去しやすくなるように作用してもよい。汚れ残渣の分解または変化は、両方とも、洗浄される表面または繊維製品に汚れが結合する物理化学力を小さくする（すなわち、汚れの水溶性が高くなる）ことによって、洗浄性を高めることができる。例えば、１つ以上のプロテアーゼは、汚れ残渣に存在する複雑な高分子タンパク質構造を、もっと単純な短鎖分子に開裂させ、この分子自体は表面から容易に脱着し、可溶化するか、または他の様式で、プロテアーゼを含有する洗浄力のある溶液によって簡単に除去される。
【０１２５】
適切な酵素は、植物、動物、細菌、真菌または酵母起源のような、任意の適切な起源のプロテアーゼ、アミラーゼ、リパーゼ、グルコナーゼ、セルラーゼ、ペルオキシダーゼ、またはそれらの混合物を含んでいてもよい。選択は、ｐＨ活性および／または安定性の最適値、熱安定性、および活性洗剤、ビルダーなどに対する安定性などの因子の影響を受ける。この点で、細菌性または真菌性の酵素、例えば細菌性アミラーゼおよびプロテアーゼ、および真菌性セルラーゼが好ましい場合がある。好ましくは、酵素は、プロテアーゼ、リパーゼ、アミラーゼ、またはそれらの組み合わせであってもよい。
【０１２６】
場合により、濃縮洗浄組成物は、約０．１重量％〜約５重量％、好ましくは約０．５重量％〜約３重量％の量の酵素を含むことができる。場合により、すぐに使用可能な液体洗浄組成物は、約０．０１重量％〜約０．５重量％、好ましくは約０．０５重量％〜約０．３重量％の酵素を含むことができる。
【０１２７】
酵素安定化系
洗浄組成物は、場合により、酵素安定化系を含むことができる。酵素安定化系は、ホウ酸塩、例えばアルカリ金属ホウ酸塩またはアミン（例えば、アルカノールアミン）ホウ酸塩、またはアルカリ金属ホウ酸塩、またはホウ酸カリウムを含むことができる。酵素安定化系はまた、特定の酵素を安定化するため、またはホウ酸塩の効果を増強または維持するための他の成分を含むことができる。
【０１２８】
例えば、本発明の洗浄組成物は、カルシウムイオンおよび／またはマグネシウムイオンの水溶性供給源を含むことができる。カルシウムイオンは、一般にマグネシウムイオンよりも効果的であり、１種類のカチオンのみが使用される場合、本明細書ではカルシウムイオンが好ましい。洗浄および／または安定化された酵素洗浄組成物、特に液体は、最終組成物１リットル当たり１〜３０ミリモル、２〜２０ミリモル、または８〜１２ミリモルのカルシウムイオンを含んでいてもよいが、組み込まれた酵素の多重度、種類および濃度を含む因子に応じて変化も可能である。例えば、塩化カルシウム、水酸化カルシウム、ギ酸カルシウム、リンゴ酸カルシウム、マレイン酸カルシウム、水酸化カルシウムおよび酢酸カルシウムなどの水溶性カルシウム塩またはマグネシウム塩を使用することができる。より一般的には、硫酸カルシウムまたは列挙されたカルシウム塩に対応するマグネシウム塩を使用することができる。例えば、特定の種類の界面活性剤の油分切断作用を促進するために、カルシウムおよび／またはマグネシウムの濃度をさらに高めることも、もちろん有用な場合がある。
【０１２９】
特定の洗浄組成物の安定化系、例えば、安定化された酵素を含む洗濯洗浄組成物は、多くの水供給中に存在する塩素漂白剤種が酵素を攻撃し、不活化するのを防ぐために添加される塩素漂白捕捉剤を０〜１０重量％または０．０１〜６重量％を、特にアルカリ性条件下でさらに含んでいてもよい。水中の塩素濃度は低く、典型的には約０．５ｐｐｍ〜約１．７５ｐｐｍの範囲であるが、酵素と接触する水の全体積中の利用可能な塩素は、例えば食器洗い中に比較的大きくなる場合がある。したがって、使用中の塩素に対する酵素の安定性は問題となる場合がある。
【０１３０】
適切な塩素捕捉アニオンは公知であり、容易に入手可能であり、使用される場合、亜硫酸塩、亜硫酸水素塩、チオ亜硫酸塩、チオ硫酸塩、ヨウ化物などとのアンモニウムカチオンを含む塩であり得る。カルバメート、アスコルビン酸などの酸化防止剤、エチレンジアミン四酢酸（ＥＤＴＡ）またはそのアルカリ金属塩、モノエタノールアミン（ＭＥＡ）、およびそれらの混合物などの有機アミンも同様に使用することができる。
【０１３１】
中和剤
洗浄組成物は、場合により、中和剤を含むことができる。アニオン性界面活性剤を使用する本発明の実施形態において、中和剤を添加してアニオン性界面活性剤を中和することができる。適切な中和剤には、アミノアルコール、例えば、アミノ−２−メチル−１−プロパノール（ＡＭＰ）およびトリエタノールアミン（ＴＥＡ）が含まれるが、これらに限定されない。一実施形態において、アミノ−２−メチル−１−プロパノールが、好ましい中和剤（ＡＭＰ９５として入手可能）である。
【０１３２】
場合により、濃縮洗浄組成物は、約０．５重量％〜約１５重量％、好ましくは約１重量％〜約１２重量％、より好ましくは約５重量％〜約１０重量％の量の中和剤を含むことができる。場合により、すぐに使用可能な液体洗浄組成物は、約０．０５重量％〜約１．５重量％、好ましくは約０．１重量％〜約１．２重量％、より好ましくは約０．５重量％〜約１重量％の量の中和剤を含むことができる。
【０１３３】
塩
本発明は、場合により、中性塩も含むことができる。ほとんどの中性塩は、Ｎａ＋、Ｋ＋、Ｒｂ＋、Ｃｓ＋、Ｍｇ２＋、Ｃａ２＋、Ｓｒ２＋、Ｂａ２＋などのカチオンと、Ｃｌ−、Ｂｒ−、Ｉ−、ＣｌＯ４−、ＢｒＯ４−、ＣｌＯ３−およびＮＯ３−などのアニオンとからなる。これらのイオンは、水と反応する傾向がほとんどない。したがって、これらのイオンからなる塩は中性塩である。例えば：ＮａＣｌ、ＫＮＯ３、ＣａＢｒ２、ＣｓＣｌＯ４は、中性塩である。場合により、濃縮洗浄組成物は、約０．０１重量％〜約８重量％、好ましくは約０．０５重量％〜約６．５重量％、より好ましくは約０．１重量％〜５重量％の量の塩成分を含むことができる。場合により、すぐに使用可能な液体洗浄組成物は、約０．００１重量％〜約１重量％、好ましくは約０．００５重量％〜約０．７重量％、より好ましくは約０．０１重量％〜約０．５重量の量の塩成分を含むことができる。
【０１３４】
ケイ酸塩
場合により、金属保護を与えるためにケイ酸塩を洗浄組成物に含めることができるが、アルカリ性を提供し、さらには再付着防止剤として機能することがさらに知られている。例示的なケイ酸塩には、ケイ酸ナトリウムおよびケイ酸カリウムが含まれるが、これらに限定されない。洗浄組成物はケイ酸塩を含まずに提供することができるが、ケイ酸塩が含まれる場合、ケイ酸塩は、所望の金属保護を提供する量で含めることができる。
【０１３５】
場合により、濃縮洗浄組成物は、約０．１重量％〜約５重量％、好ましくは約０．５重量％〜約３重量％の量のケイ酸塩を含むことができる。場合により、すぐに使用可能な液体洗浄組成物は、約０．０１重量％〜約０．５重量％、好ましくは約０．０５重量％〜約０．３重量％のケイ酸塩を含むことができる。
【０１３６】
さらなる界面活性剤
上に特定された界面活性剤に加えて、組成物は、以下に列挙されるような他の界面活性剤も含んでいてもよい。
【０１３７】
非イオン性界面活性剤
有用な非イオン性界面活性剤は、一般に、有機疎水性基と有機親水性基の存在を特徴とし、典型的には、有機脂肪族、アルキル芳香族またはポリオキシアルキレン疎水性化合物と、親水性アルカリ酸化物部分（一般的な実施において、エチレンオキシドまたはその多価水和生成物、ポリエチレングリコール）との縮合によって生成される。実際には、反応性水素原子を含むヒドロキシル基、カルボキシル基、アミノ基またはアミド基を有する任意の疎水性化合物は、エチレンオキシドまたはその多価水和付加物、またはこれとプロピレンオキシドなどのアルコキシレンとの混合物と縮合し、非イオン性界面活性剤を生成することができる。任意の特定の疎水性化合物と縮合された親水性ポリオキシアルキレン部分の長さは、親水性と疎水性とが所望の程度で均衡を保った水分散性または水溶性の化合物を生じるように容易に調整することができる。有用な非イオン性界面活性剤としては、以下のものが挙げられる。
【０１３８】
１．開始剤反応性水素化合物としてのプロピレングリコール、エチレングリコール、グリセロール、トリメチロールプロパンおよびエチレンジアミンに由来する、ブロックポリオキシプロピレン−ポリオキシエチレンポリマー化合物。開始剤の逐次プロポキシル化およびエトキシル化から製造されるポリマー化合物の例は、、ＢＡＳＦ  Ｃｏｒｐ．によって製造されたＰｌｕｒｏｎｉｃ（登録商標）およびＴｅｔｒｏｎｉｃ（登録商標）の商品名で市販されている。Ｐｌｕｒｏｎｉｃ（登録商標）化合物は、ポリプロピレングリコールの２個のヒドロキシル基にプロピレンオキシドを付加することによって作られる疎水性塩基と、エチレンオキシドとを縮合させることによって作られる二官能（２個の反応性水素の）化合物である。この分子の疎水性部分は、重量が約１，０００〜約４，０００である。次いで、この疎水性物質を親水基の間に挟み込むようにエチレンオキシドを付加し、最終分子の約１０重量％〜約８０重量％を構成するように長さによって制御する。Ｔｅｔｒｏｎｉｃ（登録商標）化合物は、プロピレンオキシドおよびエチレンオキシドをエチレンジアミンに逐次的に付加することから誘導される四官能ブロックコポリマーである。プロピレンオキシドハイドロタイプの分子量は、約５００〜約７，０００の範囲であり、親水性物質であるエチレンオキシドは、分子の約１０重量％〜約８０重量％を構成するように付加される。
【０１３９】
２．直鎖または分枝鎖の配置を有するか、または１個または２個のアルキル構成要素を含むアルキル鎖が、約８〜約１８個の炭素原子を含む１モルのアルキルフェノールと、約３〜約５０モルのエチレンオキシドとの縮合生成物。アルキル基は、例えば、ジイソブチレン、ジアミル、重合したプロピレン、イソ−オクチル、ノニルおよびジ−ノニルによって表すことができる。これらの界面活性剤は、アルキルフェノールのポリエチレンオキシド、ポリプロピレンオキシドおよびポリブチレンオキシドの縮合物であってもよい。この化学物質の市販化合物の例は、Ｒｈｏｎｅ−Ｐｏｕｌｅｎｃによって製造されたＩｇｅｐａｌ（登録商標）およびＵｎｉｏｎ  Ｃａｒｂｉｄｅによって製造されたＴｒｉｔｏｎ（登録商標）との商品名で市場で入手可能である。
【０１４０】
３．約６〜約２４個の炭素原子を有する飽和または不飽和、直鎖または分岐鎖のアルコール１モルと、約３〜約５０モルのエチレンオキシドとの縮合生成物。アルコール部分は、上記の描写された炭素範囲のアルコールの混合物からなっていてもよく、またはこの範囲内の特定数の炭素原子を有するアルコールからなっていてもよい。同様の市販の界面活性剤の例は、Ｓｈｅｌｌ  Ｃｈｅｍｉｃａｌ  Ｃｏ．のＮｅｏｄｏｌ（商標）およびＶｉｓｔａ  Ｃｈｅｍｉｃａｌ  Ｃｏ．によって製造されるＡｌｆｏｎｉｃ（商標）といった商品名で市販されている。
【０１４１】
４．約８〜約１８個の炭素原子を有する１モルの飽和または不飽和、直鎖または分枝鎖のカルボン酸と、約６〜約５０モルのエチレンオキシドとの縮合生成物。酸部分は、上記の定義された炭素原子範囲の酸の混合物からなっていてもよく、またはこの範囲内の特定数の炭素原子を有する酸からなっていてもよい。この化学物質の市販化合物の例は、Ｈｅｎｋｅｌ  Ｃｏｒｐｏｒａｔｉｏｎによって製造されたＮｏｐａｌｃｏｌ（商標）およびＬｉｐｏ  Ｃｈｅｍｉｃａｌｓ、Ｉｎｃ．によって製造されたＬｉｐｏｐｅｇ（商標）の商品名で市販されている。
【０１４２】
一般にポリエチレングリコールエステルと呼ばれるエトキシル化カルボン酸に加えて、グリセリド、グリセリン、および多価（糖またはソルビタン／ソルビトール）アルコールとの反応によって形成される他のアルカン酸エステルは、特殊な実施形態、特に間接的な食品添加剤用途のために本発明に適用される。これらのエステル部分は全て、それらの物質の親水性を制御するためにさらなるアシル化またはエチレンオキシド（アルコキシド）付加を受けることができる１つ以上の反応性水素部位を分子上に有する。アミラーゼおよび／またはリパーゼ酵素を含有する本発明の組成物にこれらの脂肪酸エステルまたはアシル化炭水化物を添加する際には、潜在的な非相溶性のため、注意を払わなければならない。
【０１４３】
非イオン性低起泡性界面活性剤の例としては、以下のものが挙げられる。
【０１４４】
５．（１）エチレンオキシドをエチレングリコールに付加し、示した分子量の親水性部分を与え、次いで、プロピレンオキシドを付加し、分子の外側（末端）に疎水性ブロックを得ることによる、修飾され、本質的にリバースされる化合物。この分子の疎水性部分は、重量が約１，０００〜約３，１００であり、中央の親水性部分は、最終的な分子の１０重量％〜約８０重量％含まれる。これらのリバースＰｌｕｒｏｎｉｃｓ（商標）は、ＢＡＳＦ  Ｃｏｒｐｏｒａｔｉｏｎによって、Ｐｌｕｒｏｎｉｃ（商標）Ｒ界面活性剤の商標名で製造される。同様に、Ｔｅｔｒｏｎｉｃ（商標）Ｒ界面活性剤は、エチレンジアミンにエチレンオキシドとプロピレンオキシドを連続して付加することによって、ＢＡＳＦ  Ｃｏｒｐｏｒａｔｉｏｎによって製造される。この分子の疎水性部分は、重量が約２，１００〜約６，７００であり、中央の親水性部分は、最終的な分子の１０重量％〜約８０重量％含まれる。
【０１４５】
６．疎水性低分子、例えば、プロピレンオキシド、ブチレンオキシド、塩化ベンジル、および１〜約５個の炭素原子を含む短鎖脂肪酸、アルコールまたはハロゲン化アルキル、およびこれらの混合物との反応によって泡立ちを減らすために、（多官能部分の）１つ以上の末端ヒドロキシ基を「キャップする」か、または「末端をブロックする」ことによって修飾された、群（１）、（２）、（３）および（４）からの化合物。末端ヒドロキシ基を塩素基に変換する塩化チオニルのような反応剤も含まれる。末端ヒドロキシ基に対するこのような修飾によって、全てがブロック、ブロック−ヘテリック、ヘテリック−ブロックまたは全てがヘテリックの非イオン性物質が得られるだろう。
【０１４６】
有効な低泡性非イオン性物質のさらなる例としては、以下のものが挙げられる。
【０１４７】
７．１９５９年９月８日にＢｒｏｗｎらに対して登録された米国特許第２，９０３，４８６号の以下の式によって表されるアルキルフェノキシポリエトキシアルカノール
【化６】
0006600086.tif 000007
式中、Ｒは、８〜９個の炭素原子を含むアルキル基であり、Ａは、３〜４個の炭素原子を含むアルキレン鎖であり、ｎは、７〜１６の整数であり、ｍは、１〜１０の整数である。
【０１４８】
Ｍａｒｔｉｎらに対して１９６２年８月７日に登録された、交互に親水性オキシエチレン鎖と疎水性オキシプロピレン鎖とを含み、末端疎水性鎖の重量、中央の疎水性単位の重量、連結する親水性単位の重量は、それぞれ縮合物の約３分の１を表す、米国特許第３，０４８，５４８号のポリアルキレングリコール縮合物。
【０１４９】
一般式Ｚ［（ＯＲ）ｎＯＨ］Ｚを有する、Ｌｉｓｓａｎｔらに対して１９６８年５月７日に登録された米国特許第３，３８２，１７８号に開示される、消泡する非イオン性界面活性剤。式中、Ｚは、アルコキシル化可能な材料であり、Ｒは、エチレンおよびプロピレンであってもよいアルカリ性オキシドから誘導される基であり、ｎは、例えば、１０から２０００以上の整数であり、ｚは、反応性オキシアルキル化可能な基の数によって決定される整数である。
【０１５０】
式Ｙ（Ｃ３Ｈ６Ｏ）ｎ（Ｃ２Ｈ４Ｏ）ｍＨに対応する、Ｊａｃｋｓｏｎらに対し、１９５４年５月４日に登録された米国特許第２，６７７，７００号に記載される共役したポリオキシアルキレン化合物。式中、Ｙは、約１〜６個の炭素原子と１個の反応性水素原子を含む有機化合物の残基であり、ｎは、水酸価によって決定される場合、平均値が少なくとも約６．４であり、ｍは、オキシエチレン部分が分子の約１０重量％〜約９０重量％を構成するような値を有する。
【０１５１】
Ｌｕｎｄｓｔｅｄに対し、１９５４年４月６日に登録された米国特許第２，６７４，６１９号に記載される、式Ｙ［（Ｃ３Ｈ６Ｏｎ（Ｃ２Ｈ４Ｏ）ｍＨ］ｘを有する共役したポリオキシアルキレン化合物。式中、Ｙは、約２〜６個の炭素原子とｘ個の反応性水素原子を含む有機化合物の残基であり、ｘは、少なくとも約２の値であり、ｎは、ポリオキシプロピレン疎水性基剤の分子量が少なくとも約９００になるような値を有し、ｍは、分子のオキシエチレン含有量が約１０重量％〜約９０重量％であるような値を有する。Ｙの定義の範囲内に含まれる化合物としては、例えば、プロピレングリコール、グリセリン、ペンタエリスリトール、トリメチロールプロパン、エチレンジアミンなどが挙げられる。オキシプロピレン鎖は、場合により、しかし有利には、少量のエチレンオキシドを含み、オキシエチレン鎖も、場合により、しかし有利には、少量のプロピレンオキシドを含む。
【０１５２】
式：Ｐ［（Ｃ３Ｈ６Ｏ）ｎ（Ｃ２Ｈ４Ｏ）ｍＨ］ｘに対応する、有利には本発明の組成物で使用されるさらなる共役したポリオキシアルキレン表面活性剤。式中、Ｐは、約８〜１８個の炭素原子とｘ個の反応性水素原子を含む有機化合物の残基であり、ｘは、１または２の値を有し、ｎは、ポリオキシエチレン部分の分子量が少なくとも約４４であるような値を有し、ｍは、分子のオキシプロピレン含有量が約１０重量％〜約９０重量％であるような値を有する。いずれかの場合に、オキシプロピレン鎖は、場合により、しかし有利には、少量のエチレンオキシドを含んでいてもよく、オキシエチレン鎖も、場合により、しかし有利には、少量のプロピレンオキシドを含んでいてもよい。
【０１５３】
８．本発明の組成物に使用するのに適したポリヒドロキシ脂肪酸アミド界面活性剤としては、構造式Ｒ２ＣＯＮＲ１Ｚを有するものが挙げられ、式中、Ｒ１は、Ｈ、Ｃ１−Ｃ４ヒドロカルビル、２−ヒドロキシエチル、２−ヒドロキシプロピル、エトキシ、プロポキシ基、またはその混合物であり；Ｒ２は、Ｃ５−Ｃ３１ヒドロカルビルであり、直鎖であってもよく；Ｚは、直鎖ヒドロカルビル鎖を含み、少なくとも３個のヒドロキシルが鎖に直接接続しているポリヒドロキシヒドロカルビルであるか、またはそのアルコキシル化誘導体（好ましくは、エトキシル化されているか、またはプロポキシ化されている）である。Ｚは、還元アミノ化反応において、還元糖から誘導されてもよく、例えば、グリシチル部分であってもよい。
【０１５４】
９．脂肪族アルコールと、約０〜約２５モルのエチレンオキシドとのアルキルエトキシレート縮合生成物も、本発明の組成物で使用するのに適している。脂肪族アルコールのアルキル鎖は、直鎖または分枝鎖、一級または二級のいずれであってもよく、一般的に、６〜２２個の炭素原子を含む。
【０１５５】
１０．エトキシル化Ｃ６−Ｃ１８脂肪族アルコールおよびＣ６−Ｃ１８エトキシル化およびプロポキシル化混合脂肪族アルコールは、本発明の組成物で使用するのに適した界面活性剤であり、特に、水溶性のものが適している。適切なエトキシル化脂肪族アルコールとしては、エトキシル化度が３〜５０のＣ６−Ｃ１８エトキシル化脂肪族アルコールが挙げられる。
【０１５６】
１１．適切な非イオン性アルキル多糖界面活性剤、特に、本発明の組成物で使用するのに適したものは、１９８６年１月２１日に登録された米国特許第４，５６５，６４７（Ｌｌｅｎａｄｏ）に開示されるものを含む。これらの界面活性剤は、約６〜約３０個の炭素原子を含む疎水性基と、約１．３〜約１０の等単位を含む多糖（例えば、ポリグリコシド）の親水性基とを含む。５個または６個の炭素原子を含む任意の還元糖を使用してもよく、例えば、グルコース部分、ガラクトース部分およびガラクトシル部分が、グルコシル部分と置き換わっていてもよい。（場合により、疎水性基は、２位、３位、４位などの位置に接続するため、グルコシドまたはガラクトシドに対向する位置にグルコースまたはガラクトースを与える。）糖間結合は、例えば、さらなる糖単位の１つの一と、その前にある糖単位の２位、３位、４位および／または６位との間の結合であってもよい。
【０１５７】
１２．本発明の組成物を使用するのに適した脂肪酸アミド界面活性剤としては、式：Ｒ６ＣＯＮ（Ｒ７）２を有するものが挙げられ、式中、Ｒ６は、７〜２１個の炭素原子を含むアルキル基であり、各Ｒ７は、独立して、水素、Ｃ１−Ｃ４アルキル、Ｃ１−Ｃ４ヒドロキシアルキルまたは−−（Ｃ２Ｈ４Ｏ）ＸＨであり、ここで、ｘは、１〜３の範囲である。
【０１５８】
１３．有用な分類の非イオン性界面活性剤は、アルコキシル化アミンとして定義される分類、またはさらに特定的には、アルコールアルコキシル化／アミノ化／アルコキシル化された界面活性剤として定義される分類を含む。これらの非イオン性界面活性剤は、少なくとも一部が、一般式：Ｒ２０−−（ＰＯ）ＳＮ−−（ＥＯ）ｔＨ、Ｒ２０−−（ＰＯ）ＳＮ−−（ＥＯ）ｔＨ（ＥＯ）ｔＨおよびＲ２０−−Ｎ（ＥＯ）ｔＨによって表されてもよく、式中、Ｒ２０は、アルキル、アルケニルまたは他の脂肪族基であるか、または８〜２０個、好ましくは１２〜１４個の炭素原子を含むアルキル−アリール基であり、ＥＯは、オキシエチレンであり、ＰＯは、オキシプロピレンであり、ｓは、１〜２０、好ましくは、２〜５であり、ｔが１〜１０、好ましくは、２〜５であり、ｕが、１〜１０、好ましくは、２〜５である。これらの化合物の範囲での他の変形例は、代替的な式：Ｒ２０−−（ＰＯ）Ｖ−−Ｎ［（ＥＯ）ｗＨ］［（ＥＯ）ｚＨ］によって表されてもよく、式中、Ｒ２０は、上に定義される通りであり、ｖは、１〜２０（例えば、１、２、３または４（好ましくは２））であり、ｗおよびｚは、独立して、１〜１０、好ましくは、２〜５である。これらの化合物は、Ｈｕｎｔｓｍａｎ  Ｃｈｅｍｉｃａｌｓによって非イオン性界面活性剤として販売される製品群によって商業的に表される。この分類の好ましい化学物質は、Ｓｕｒｆｏｎｉｃ（商標）ＰＥＡ  ２５アミンアルコキシレートを含む。本発明の組成物にとって好ましい非イオン性界面活性剤としては、アルコールアルコキシレート、ＥＯ／ＰＯブロックコポリマー、アルキルフェノールアルコキシレートなどが挙げられる。
【０１５９】
Ｎｏｎｉｏｎｉｃ  Ｓｕｒｆａｃｔａｎｔｓ、Ｓｃｈｉｃｋ，Ｍ．Ｊ．編集、ｔｈｅ  Ｓｕｒｆａｃｔａｎｔ  Ｓｃｉｅｎｃｅ  ＳｅｒｉｅｓのＶｏｌ．１、Ｍａｒｃｅｌ  Ｄｅｋｋｅｒ，  Ｉｎｃ．、Ｎｅｗ  Ｙｏｒｋ、１９８３の論文は、本発明の実施に一般的に使用される。非イオン性物質の分類の典型的なリストおよびこれらの界面活性剤の種は、ＬａｕｇｈｌｉｎおよびＨｅｕｒｉｎｇに対して１９７５年１２月３０日に登録された米国特許第３，９２９，６７８に与えられている。さらなる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ、ＰｅｒｒｙおよびＢｅｒｃｈによるＶｏｌ．ＩおよびＩＩ）に与えられている。
【０１６０】
半極性非イオン性界面活性剤
半極性型の非イオン界面活性剤は、本発明の組成物に有用な別の種類の非イオン界面活性剤である。一般に、半極性非イオン性物質は、高起泡剤および泡安定化剤であり、これはＣＩＰシステムにおけるその用途を制限する場合がある。しかしながら、高起泡性洗浄方法のために設計された本発明の組成物の実施形態において、半極性非イオン性物質は即座に有用である。半極性非イオン性界面活性剤には、アミンオキシド、ホスフィンオキシド、スルホキシドおよびそれらのアルコキシル化誘導体が含まれる。
【０１６１】
１４．アミンオキシドは、次の一般式に対応する三級アミンオキシドであり、
【化７】
0006600086.tif 000008
式中、矢印は、半極性結合の従来からある表示であり；Ｒ１、Ｒ２およびＲ３は、脂肪族、芳香族、ヘテロ環、脂環式、またはそれらの組み合わせであってもよい。一般に、目的とする洗剤のアミンオキシドの場合、Ｒ１は、８〜２４個の炭素原子を含むアルキル基であり；Ｒ２およびＲ３は、１〜３個の炭素原子を含むアルキルまたはヒドロキシアルキルまたはそれらの混合物であり；Ｒ２およびＲ３は、例えば、酸素原子または窒素原子を介して互いに結合し、環構造を形成していてもよく；Ｒ４は、アルカリまたは２〜３個の炭素原子を含むヒドロキシアルキレン基であり；ｎは、０〜約２０の範囲である。
【０１６２】
有用な水溶性アミンオキシド界面活性剤は、ココナツまたはタローアルキルジ−（低級アルキル）アミンオキシドから選択され、その具体例は、ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシドおよび３−ドデコキシ−２−ヒドロキシプロピルジ（２−ヒドロキシエチル）アミンオキシドである。
【０１６３】
有用な半極性非イオン性界面活性剤には、以下の構造を有する水溶性ホスフィンオキシドも含まれる。
【化８】
0006600086.tif 000009
式中、矢印は、半極性結合の従来からある表示であり；Ｒ１は、鎖長が１０〜約２４個の炭素原子であるアルキル、アルケニルまたはヒドロキシアルキル部分であり；Ｒ２およびＲ３は、それぞれ、１〜３個の炭素原子を含むアルキル基またはヒドロキシアルキル基から別個に選択される各アルキル部分である。
【０１６４】
有用なホスフィンオキシドの例には、ジメチルデシルホスフィンオキシド、ジメチルテトラデシルホスフィンオキシド、メチルエチルテトラデシルホスホンオキシド、ジメチルヘキサデシルホスフィンオキシド、ジエチル−２−ヒドロキシオクチルデシルホスフィンオキシド、ビス（２−ヒドロキシエチル）ドデシルホスフィンオキシドおよびビス（ヒドロキシメチル）テトラデシルホスフィンオキシドが含まれる。  本明細書で有用な半極性非イオン性界面活性剤は、以下の構造を有する水溶性スルホキシド化合物も含み、
【化９】
0006600086.tif 000010
式中、矢印は、半極性結合の従来からある表示であり；Ｒ１は、約８〜約２８個の炭素原子、０〜約５個のエーテル結合および０〜約２個のヒドロキシル置換基からなるアルキルまたはヒドロキシアルキル部分であり；Ｒ２は、１〜３個の炭素原子を有するアルキル基およびヒドロキシアルキル基からなるアルキル部分である。
【０１６５】
これらのスルホキシドの有用な例には、ドデシルメチルスルホキシド；３−ヒドロキシトリデシルメチルスルホキシド；３−メトキシトリデシルメチルスルホキシド；および３−ヒドロキシ−４−ドデコキシブチルメチルスルホキシドが挙げられる。
【０１６６】
本発明の組成物のための半極性非イオン性界面活性剤には、ラウリルジメチルアミンオキシド、ミリスチルジメチルアミンオキシド、セチルジメチルアミンオキシド、それらの組み合わせなどのジメチルアミンオキシドが含まれる。有用な水溶性アミンオキシド界面活性剤は、オクチル、デシル、ドデシル、イソドデシル、ココナツまたはタローアルキルジ−（低級アルキル）アミンオキシドから選択され、その具体例は、オクチルジメチルアミンオキシド、ノニルジメチルアミンオキシド、デシルジメチルアミンオキシド、ウンデシルジメチルアミンオキシド、ドデシルジメチルアミンオキシド、ｉｓｏ−ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチルアミンオキシド、ドデシルジプロピルアミンオキシド、テトラデシルジプロピルアミンオキシド、ヘキサデシルジプロピルアミンオキシド、テトラデシルジプロピルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル（２−ヒドロキシドデシル）アミンオキシド、３，６，９−トリオクタデシルジメチルアミンオキシドおよび３−ドデコキシ−２−ヒドロキシプロピルジ−（２−ヒドロキシエチル）アミンオキシドである。
【０１６７】
本発明の組成物と共に使用するのに適した、適切な非イオン性界面活性剤としては、アルコキシル化界面活性剤が挙げられる。適切なアルコキシル化界面活性剤としては、ＥＯ／ＰＯコポリマー、キャップされたＥＯ／ＰＯコポリマー、アルコールアルコキシレート、キャップされたアルコールアルコキシレート、これらの混合物などが挙げられる。溶媒として使用するのに適したアルコキシル化界面活性剤としては、ＥＯ／ＰＯブロックコポリマー、例えば、ＰｌｕｒｏｎｉｃおよびリバースＰｌｕｒｏｎｉｃの界面活性剤；アルコールアルコキシレート、例えば、Ｄｅｈｙｐｏｎ  ＬＳ−５４（Ｒ−（ＥＯ）５（ＰＯ）４）、Ｄｅｈｙｐｏｎ  ＬＳ−３６（Ｒ−（ＥＯ）３（ＰＯ）６）；およびキャップされたアルコールアルコキシレート、例えば、Ｐｌｕｒａｆａｃ  ＬＦ２２１およびＴｅｇｏｔｅｎ  ＥＣ１１；これらの混合物などが挙げられる。
【０１６８】
カチオン性界面活性剤
表面活性物質は、分子の親水性部分の電荷が正である場合、カチオン性であると分類される。ｐＨが中性付近またはもっと低いところまで下がらない限り、親水性部分が電荷を持たないが、その後、カチオン性（例えば、アルキルアミン）である界面活性剤も、この群に含まれる。理論上は、カチオン性界面活性剤は、「オニウム」構造ＲｎＸ＋Ｙ−−を含む要素の任意の組み合わせから合成されてもよく、窒素を含む化合物（アンモニウム）以外の化合物、例えば、リンを含む化合物（ホスホニウム）および硫黄を含む化合物（スルホニウム）を含んでいてもよい。実際には、カチオン性界面活性剤の分野は、窒素を含有する化合物が優位を占めており、これはおそらく、窒素を含むカチオン性物質への合成経路が単純であり、直線的で複雑ではなく、高い収率の生成物を与えるためであり、安価に製造することができるからである。
【０１６９】
カチオン性界面活性剤は、好ましくは、少なくとも１つの長鎖炭素鎖の疎水性基と、少なくとも１つの正に帯電した窒素とを含む化合物を含み、さらに好ましくは、この化合物を指す。長鎖炭素基は、単純な置換によって、窒素原子に直接接続していてもよく、またはさらに好ましくは、いわゆる中断されたアルキルアミンおよびアミドアミンにおいて、１つ以上の架橋する官能基によって間接的に接続していてもよい。このような官能基は、もっと親水性が高く、および／またはもっと水分散性が高く、共界面活性剤混合物によって水に簡単に溶解し、および／または水溶性である分子を製造することができる。水溶解度を高めるために、さらなる一級、二級または三級のアミノ基を導入してもよく、またはアミノ窒素を低分子量アルキル基で四級化してもよい。さらに、窒素は、様々な不飽和度を有するか、または飽和または不飽和のヘテロ環の分枝鎖または直鎖の部分の一部であってもよい。これに加え、カチオン性界面活性剤は、１個より多いカチオン性窒素原子を含む複雑な結合を含んでいてもよい。
【０１７０】
アミンオキシド、両性物質および双性イオン性物質として分類される界面活性剤化合物は、それ自体が典型的にはほぼ中性から酸性ｐＨの溶液中でカチオン性であり、界面活性剤の分類は重複することがある。ポリオキシエチル化カチオン性界面活性剤は、一般的に、アルカリ性溶液では非イオン性界面活性剤に似た挙動を示し、酸性溶液ではカチオン性界面活性剤に似た挙動を示す。
【０１７１】
最も単純なカチオン性アミンであるアミン塩および四級アンモニウム化合物は、以下のように模式的に描くことができ、
【化１０】
0006600086.tif 000011
式中、Ｒは、長鎖アルキル鎖を表し、Ｒ’、Ｒ”およびＲ”’は、アルキル鎖またはアリール基または水素であってもよく、Ｘはアニオンを表す。アミン塩および四級アンモニウム化合物は、水溶性が高いため、本発明の実際の使用にとって好ましい。
【０１７２】
大量の市販のカチオン性界面活性剤の大部分は、当業者には知られている４種類の主要な化学分類と、さらなる部分的な群に分けることができ、「Ｓｕｒｆａｃｔａｎｔ  Ｅｎｃｙｃｌｏｐｅｄｉａ」、Ｃｏｓｍｅｔｉｃｓ＆Ｔｏｉｌｅｔｒｉｅｓ、Ｖｏｌ．１０４（２）８６−９６（１９８９）に記載される。第１の分類は、アルキルアミンとその塩を含む。第２の分類は、アルキルイミダゾリンを含む。第３の分類は、エトキシル化アミンを含む。第４の分類は、四級化合物、例えば、アルキルベンジルジメチルアンモニウム塩、アルキルベンゼン塩、ヘテロ環アンモニウム塩、テトラアルキルアンモニウム塩などを含む。カチオン性界面活性剤は、本発明の組成物において有益であり得る種々の特性を有することが知られている。これらの望ましい特性は、中性ｐＨ以下の組成物での洗浄性、他の薬剤と協働して増粘またはゲル化するなどを含んでいてもよい。
【０１７３】
本発明の組成物に有用なカチオン性界面活性剤としては、式Ｒ１ｍＲ２ｘＹＬＺを有するものが挙げられ、式中、各Ｒ１は、３個までのフェニル基またはヒドロキシ基で場合により置換されていてもよく、場合により４個までの以下の構造によって中断されている、直鎖または分枝鎖のアルキル基またはアルケニル基を含む有機基であり、
【化１１】
0006600086.tif 000012
またはこれらの構造の異性体または混合物であり、約８〜２２個の炭素原子を含有する。Ｒ１基は、さらに、１２個までのエトキシ基を含有していてもよい。ｍは、１〜３の数である。好ましくは、分子中の１個以下のＲ１基は、ｍが２のとき、１６個以上の炭素原子を含み、ｍが３のとき、１２個以上の炭素原子を含む。各Ｒ２は、１〜４個の炭素原子を含むアルキル基またはヒドロキシアルキル基であるか、または分子中の１個以下のＲ２がベンジルであるベンジル基であり、ｘが０〜１１の数であり、好ましくは、０〜６の数である。Ｙ基上の任意の炭素原子の位置の残りの部分は、水素によって埋められている。
【０１７４】
Ｙは、限定されるものではないが、
【化１２】
0006600086.tif 000013
を含む基、またはそれらの混合物であってもよい。好ましくは、Ｌは、１または２であり、Ｙ基は、Ｌが２のとき、１〜２２個の炭素原子と、２個の遊離炭素単結合を含むＲ１類似体およびＲ２類似体（好ましくは、アルキレンまたはアルケニレン）から選択される部分によって分割されている。Ｚは、水溶性アニオン、例えば、硫酸アニオン、メチル硫酸アニオン、水酸化物アニオンまたは硝酸アニオンであり、特に好ましくは、カチオン性構成要素の電気的な中和を与えるような数の硫酸アニオンまたはメチル硫酸アニオンである。
【０１７５】
適切なカチオン性界面活性剤には、四級化糖に由来する界面活性剤も含まれる。四級化糖に由来する界面活性剤は、刺激が少なく、皮膚接触に適していると考えられるため、特定の実施形態では好ましいことがある。
【０１７６】
四級化糖に由来する界面活性剤は、四級化アルキルポリグルコシドまたはポリ四級化アルキルポリグルコシドなどである。ポリ四級官能化アルキルポリグルコシドは、天然にはアルキルポリグルコシドから誘導され、糖骨格を有するカチオン性界面活性剤である。ポリ四級アルキルポリグルコシドは、以下の代表的な式を有し、
【化１３】
0006600086.tif 000014
式中、Ｒは約６〜約２２個の炭素原子を有するアルキル基であり、ｎは４〜６の範囲の整数である。本発明の洗浄組成物に使用することができる適切なポリ四級官能化アルキルポリグルコシド成分の例としては、Ｒアルキル部分が約８〜約１２個の炭素原子を含むものが含まれる。好ましい実施形態において、四官能化アルキルポリグルコシドは、主として約１０〜１２個の炭素原子を含有する。本発明の洗浄組成物に有用な商業的に適切なポリ四級官能化アルキルポリグルコシドの例には、テネシー州サウスピッツバーグに所在するＣｏｌｏｎｉａｌ  Ｃｈｅｍｉｃａｌ，Ｉｎｃ．から入手可能なＰｏｌｙ  Ｓｕｇａ（登録商標）Ｑｕａｔシリーズの四級官能化アルキルポリグルコシドが含まれる。
【０１７７】
別の実施形態において、本発明はまた、四官能化アルキルポリグルコシドを含んでいてもよい。四級官能化アルキルポリグルコシドは、天然にはアルキルポリグルコシドから誘導されるカチオン性界面活性剤であり、糖骨格を有する。四級官能化アルキルポリグルコシドは、以下の代表的な式を有する：
【化１４】
0006600086.tif 000015
式中、Ｒ１は約６〜約２２個の炭素原子を有するアルキル基であり、Ｒ２はＣＨ３（ＣＨ２）ｎ’であり、ｎ’は０〜２１の範囲の整数である。本発明の洗浄組成物に使用することができる好適な四級官能化アルキルポリグルコシド成分の例としては、Ｒ１アルキル部分が主に約１０〜１２個の炭素原子を含有し、Ｒ２基がＣＨ３であり、ｎが１〜２の重合度であるものが挙げられる。本発明の洗浄組成物で有用な商業的に適切な四級官能化アルキルポリグルコシドの例としては、限定されないが、テネシー州サウスピッツバーグに所在するＣｏｌｏｎｉａｌ  Ｃｈｅｍｉｃａｌ，Ｉｎｃ．から入手可能なＳｕｇａ（登録商標）Ｑｕａｔ  ＴＭ１２１２（主にＣ１２四級官能化アルキルポリグルコシド）、Ｓｕｇａ（登録商標）Ｑｕａｔ  Ｌ１２１０（主にＣ１２四級官能化アルキルポリグルコシド）、Ｓｕｇａ（登録商標）Ｑｕａｔ  Ｓ  １２１８（主にＣ１２四級官能化アルキルポリグルコシド）が挙げられる。
【０１７８】
両性界面活性剤
両性（ａｍｐｈｏｔｅｒｉｃまたはａｍｐｈｏｌｙｔｉｃ）界面活性剤は、塩基性および酸性の親水性基と、有機疎水性基とを両方とも含む。これらのイオン性部分は、他の種類の界面活性剤について本明細書に記載するアニオン性基またはカチオン性基のいずれかであってもよい。塩基性窒素と、酸性カルボキシレート基は、塩基性および酸性の親水性基として使用される典型的な官能基である。数種類の界面活性剤において、スルホネート、サルフェート、ホスホネートまたはホスフェートが、負電荷を与える。
【０１７９】
両性界面活性剤は、脂肪族の二級アミンおよび三級アミンの誘導体として広く記載することができ、ここで、脂肪族基は、直鎖または分枝鎖であってもよく、脂肪族置換基の１つが、８〜１８個の炭素原子を含み、１つが、アニオン性水溶性基、例えば、カルボキシ、スルホ、サルフェート、ホスファート、またはホスホノを含む。
【０１８０】
両性界面活性剤は、当業者が知っている方法によって合成することができる。例えば、２−アルキルヒドロキシエチルイミダゾリンは、長鎖カルボン酸（または誘導体）とジアルキルエチレンジアミンの縮合および閉環によって合成される。市販の両性界面活性剤は、その後の加水分解と、例えば、酢酸エチルを用いるアルキル化による、イミダゾリン環の開環によって誘導体化される。アルキル化中に、１個または２個のカルボキシアルキル基が反応して三級アミンを生成し、異なるアルキル化剤とエーテル結合を生成し、異なる三級アミンを得る。
【０１８１】
本発明の用途を有する長鎖イミダゾール誘導体は、一般的に、以下の一般式を有し、
【化１５】
0006600086.tif 000016
式中、Ｒは、８〜１８個の炭素原子を含む非環状疎水性基であり、Ｍは、アニオンの電荷を中和するためのカチオンであり、一般的に、ナトリウムである。本発明の組成物に使用することができる市販の有名なイミダゾリンから誘導される両性物質としては、例えば、ココアンホプロピオネート、ココアンホカルボキシ−プロピオネート、ココアンホグリシネート、ココアンホカルボキシ−グリシネート、ココアンホプロピル−スルホネートおよびココアンホカルボキシ−プロピオン酸が挙げられる。好ましい両性カルボン酸は、脂肪族イミダゾリンから作られ、両性ジカルボン酸の２個のカルボン酸官能基が二酢酸および／または二プロピオン酸である。
【０１８２】
本明細書で上に記載されるカルボキシメチル化化合物（グリシネート）は、ベタインと呼ばれることが多い。ベタインは、以下の双性イオン性界面活性剤というタイトルの章に記載される、両性の特殊な分類である。
【０１８３】
長鎖Ｎ−アルキルアミノ酸は、ＲＮＨ２（ここで、Ｒは、Ｃ８−Ｃ１８直鎖または分枝鎖のアルキルである）脂肪族アミンと、ハロゲン化カルボン酸とを反応させることによって簡単に調製される。アミノ酸の一級アミノ基をアルキル化すると、二級アミンおよび三級アミンが得られる。アルキル置換基は、１つより多い反応性窒素中心を与えるさらなるアミノ基を有していてもよい。ほとんどの市販のＮ−アルキルアミン酸は、β−アラニンまたはβ−Ｎ（２−カルボキシエチル）アラニンのアルキル誘導体である。本発明の用途を有する市販のＮ−アルキルアミノ酸両性物質の例としては、アルキルβ−アミノジプロピオネートＲＮ（Ｃ２Ｈ４ＣＯＯＭ）２およびＲＮＨＣ２Ｈ４ＣＯＯＭである。一実施形態において、Ｒは、好ましくは、８〜１８個の炭素原子を含む非環状疎水性基であり、Ｍは、アニオンの電荷を中和するためのカチオンである。
【０１８４】
適切な両性界面活性剤としては、ココナツ産物（例えば、ココナツ油またはココナツ脂肪酸）から誘導されるものが挙げられる。これらのココナツから誘導される界面活性剤のうち、さらに適切なものは、その構造の一部として、エチレンジアミン部分、アルカノールアミド部分、アミノ酸部分、好ましくはグリシン、またはこれらの組み合わせ；および８〜１８個（好ましくは１２個）の炭素原子を含む脂肪族置換基を含む。このような界面活性剤は、アルキル両性ジカルボン酸とも考えることができる。これらの両性界面活性剤は、Ｃ１２−アルキル−Ｃ（Ｏ）−ＮＨ−ＣＨ２−ＣＨ２−Ｎ＋（ＣＨ２−ＣＨ２−ＣＯ２Ｎａ）２−ＣＨ２−ＣＨ２−ＯＨまたはＣ１２−アルキル−Ｃ（Ｏ）−Ｎ（Ｈ）−ＣＨ２−ＣＨ２−Ｎ＋（ＣＨ２−ＣＯ２Ｎａ）２−ＣＨ２−ＣＨ２−ＯＨとして表される化学構造を含んでいてもよい。ジナトリウムココアンホジプロピオネートは、適切な両性界面活性剤の１つであり、Ｒｈｏｄｉａ  Ｉｎｃ．、クランベリー、Ｎ．Ｊ．からＭｉｒａｎｏｌ（商標）ＦＢＳの商標名で市販されている。化学名がジナトリウムココアンホジアセテートである、別の適切なココナツから誘導される両性界面活性剤は、Ｍｉｒａｔａｉｎｅ（商標）ＪＣＨＡの商標名で販売されており、これもＲｈｏｄｉａ  Ｉｎｃ．、クランベリー、Ｎ．Ｊ．製である。
【０１８５】
好ましい両性界面活性剤としては、ＲＣＯＮＨＣＨ２ＣＨ２ＮＹＣＨ２ＣＨ２ＯＸのアルキルアミドアルキルアミン（式中、Ｒは、約１０〜１８個の炭素原子を含むアルキル基であり、ＹはＣＨ２ＣＯＯＭ、ＣＨ２ＣＨ２ＣＯＯＭ、ＣＨ２ＣＨＯＨＣＨ２ＳＯ３ＭまたはＣＨ２ＣＨＯＨＣＨ２ＯＰＯ３Ｍであり、Ｘは水素またはＣＨ２ＣＯＯＭであり、Ｍは水溶性カチオンであり、最も好ましくは、Ｎａ＋、Ｋ＋、ＮＨ４＋、ＴＥＡである）、構造ＲＮ＋（Ｃ３）２ＣＨＣＯＯ−を有するベタイン（式中、Ｒは、約１０〜１８個の炭素原子を含むアルキル基であるか、またはアミドプロピルアルキル基であり、Ｒは約１０〜約１８個の炭素である）が挙げられる。好ましいアルキルアミドアルキルアミンは、ＳｏｌｖａｙによってＭｉｒａｎｏｌ（登録商標）Ｃ２Ｍ  ＳＦとして販売されているジナトリウムココアンホジプロピオネートである。
【０１８６】
両性物質の分類の典型的なリストおよびこれらの界面活性剤の種は、ＬａｕｇｈｌｉｎおよびＨｅｕｒｉｎｇに対して１９７５年１２月３０日に登録された米国特許第３，９２９，６７８に与えられている。さらなる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ、ＰｅｒｒｙおよびＢｅｒｃｈによるＶｏｌ．ＩおよびＩＩ）に与えられている。これらの参考文献はそれぞれ、その全体が参考として本明細書に組み込まれる。
【０１８７】
双性イオン性界面活性剤
双性イオン性界面活性剤は、両性界面活性剤の部分集合として考えられ、負の電荷を含んでいてもよい。双性イオン界面活性剤は二級アミンおよび三級アミンの誘導体、ヘテロ環二級アミンおよびヘテロ環三級アミンの誘導体、または四級アンモニウム、四級ホスホニウムまたは三級スルホニウム化合物の誘導体として広く説明することができる。典型的には、双性イオン性界面活性剤としては、正に帯電した四級アンモニウム、または場合によっては、スルホニウムイオンまたはホスホニウムイオン；負に帯電したカルボキシル基；およびアルキル基が挙げられる。双性イオン性物質は、一般に、分子の等電点領域でほぼ同程度にイオン化し、正負の電荷中心間に強力な「内部塩」引力を生じさせることができるカチオン性基とアニオン性基とを含む。このような双性イオン性合成界面活性剤の例としては、脂肪族基が直鎖または分枝鎖であってもよく、脂肪族置換基の１つが８〜１８個の炭素原子を含み、１つがアニオン性水溶性基（例えば、カルボキシ、スルホネート、サルフェート、ホスフェートまたはホスホネート）を含む脂肪族四級アンモニウム、ホスホニウムおよびスルホニウム化合物の誘導体が挙げられる。
【０１８８】
ベタイン界面活性剤およびスルタイン界面活性剤は、本明細書で用いるための例示的な双性イオン性イオン性界面活性剤である。これらの化合物の一般式は
【化１６】
0006600086.tif 000017
であり、式中、Ｒ１は、８〜１８個の炭素原子を含み、０〜１０個のエチレンオキシド部分および０〜１個のグリセリル部分を有するアルキル基、アルケニル基またはヒドロキシアルキル基を含み；Ｙは、窒素原子、リン原子および硫黄原子からなる群から選択され；Ｒ２は、１〜３個の炭素原子を含むアルキル基またはモノヒドロキシアルキル基であり；Ｙが硫黄原子のとき、ｘが１であり、Ｙが窒素原子またはリン原子のとき、ｘが２であり；Ｒ３は、１〜４個の炭素原子を含むアルキレンまたはヒドロキシアルキレンまたはヒドロキシアルキレンであり、Ｚは、カルボキシレート基、スルホネート基、サルフェート基、ホスホネート基、およびホスフェート基からなる群から選択される基である。
【０１８９】
上述の構造を有する双性イオン性界面活性剤の例としては、４−［Ｎ，Ｎ−ジ（２−ヒドロキシエチル）−Ｎ−オクタデシルアンモニオ］−ブタン−１−カルボキシレート；５−［Ｓ−３−ヒドロキシプロピル−Ｓ−ヘキサデシルスルホニオ］−３−ヒドロキシペンタン−１−サルフェート；３−［Ｐ，Ｐ−ジエチル−Ｐ−３，６，９−トリオキサテトラコサンホスホニオ］−２−ヒドロキシプロパン−１−ホスフェート；３−［Ｎ，Ｎ−ジプロピル−Ｎ−３−ドデコキシ−２−ヒドロキシプロピル−アンモニオ］−プロパン−１−ホスホネート；３−（Ｎ，Ｎ−ジメチル−Ｎ−ヘキサデシルアンモニオ）−プロパン−１−スルホネート；３−（Ｎ，Ｎ−ジメチル−Ｎ−ヘキサデシルアンモニオ）−２−ヒドロキシ−プロパン−１−スルホネート；４−［Ｎ，Ｎ−ジ（２（２−ヒドロキシエチル）−Ｎ（２−ヒドロキシドデシル）アンモニオ］−ブタン−１−カルボキシレート；３−［Ｓ−エチル−Ｓ−（３−ドデコキシ−２−ヒドロキシプロピル）スルホニオ］−プロパン−１−ホスフェート；３−［Ｐ，Ｐ−ジメチル−Ｐ−ドデシルホスホニオ］−プロパン−１−ホスホネート；およびＳ［Ｎ，Ｎ−ジ（３−ヒドロキシプロピル）−Ｎ−ヘキサデシルアンモニオ］−２−ヒドロキシ−ペンタン−１−サルフェートが挙げられる。上述の洗剤界面活性剤に含まれるアルキル基は、直鎖または分枝鎖であってもよく、飽和または不飽和であってもよい。
【０１９０】
本発明の組成物に使用するのに適した双性イオン性界面活性剤としては、以下の一般構造を有するベタインが挙げられる。
【化１７】
0006600086.tif 000018
【０１９１】
これらの界面活性剤であるベタインは、典型的には、極端なｐＨにおいて強いカチオン性またはアニオン性の特徴を示さず、等電点領域での水溶性の低下も示さない。「外部の」四級アンモニウム塩とは異なり、ベタインはアニオン性物質と相溶性である。適切なベタインの例には、ココナツアシルアミドプロピルジメチルベタイン；ヘキサデシルジメチルベタイン；Ｃ１２−１４アシルアミドプロピルベタイン；Ｃ８−１４アシルアミドヘキシルジエチルベタイン；４−Ｃ１４−１６アシルメチルアミドジエチルアンモニオ−１−カルボキシブタン；Ｃ１６−１８アシルアミドジメチルベタイン；Ｃ１２−１６アシルアミドペンタンジエチルベタイン；およびＣ１２−１６アシルメチルアミドジメチルベタインが挙げられる。
【０１９２】
本発明に有用なスルタインとしては、式（Ｒ（Ｒ１）２Ｎ＋Ｒ２ＳＯ３−を有する化合物であり、式中、ＲはＣ６−Ｃ１８ヒドロカルビル基であり、各Ｒ１は典型的には独立してＣ１−Ｃ３アルキル、例えばメチルであり、Ｒ２はＣ１−Ｃ６ヒドロカルビル基、例えばＣ１−Ｃ３アルキレンまたはヒドロキシアルキレン基である。
【０１９３】
双性イオン性物質の分類の典型的なリストおよびこれらの界面活性剤の種は、１９７５年１２月３０日にＬａｕｇｈｌｉｎおよびＨｅｕｒｉｎｇに対して登録された米国特許第３，９２９，６７８号に与えられている。さらなる例は、「Ｓｕｒｆａｃｅ  Ａｃｔｉｖｅ  Ａｇｅｎｔｓ  ａｎｄ  Ｄｅｔｅｒｇｅｎｔｓ」（Ｓｃｈｗａｒｔｚ、ＰｅｒｒｙおよびＢｅｒｃｈによるＶｏｌ．ＩおよびＩＩ）に与えられている。これらの参考文献はそれぞれ、その全体が本明細書に組み込まれる。
【０１９４】
増粘剤
場合により、洗浄組成物は、増粘剤を含むことができる。さらなる増粘剤のいくつかの例には、可溶性有機増粘剤材料または無機増粘剤材料が含まれる。無機増粘剤のいくつかの例には、粘土、ケイ酸塩および他の周知の無機増粘剤が含まれる。有機増粘剤のいくつかの例には、チキソトロープ性および非チキソトロープ性の増粘剤が含まれる。いくつかの実施形態において、増粘剤は、かなりの割合の水溶性を有し、容易な除去性を促進する。本発明の組成物に有用な可溶性有機増粘剤の例は、ポリアクリル酸およびそのナトリウム塩のようなカルボキシル化ビニルポリマー、エトキシル化セルロース、ポリアクリルアミド増粘剤、キサンタン増粘剤、グアーガム、アルギン酸ナトリウムおよびアルギン副生成物、ヒドロキシプロピルセルロース、ヒドロキシエチルセルロースおよびかなりの割合の水溶性を有する他の同様の水性増粘剤を含む。増粘剤を加え、所望の粘度を得ることができる。
【０１９５】
実施形態
洗浄組成物は、液体または固体の濃縮物、すぐに使用可能な組成物、または使用溶液であってもよい。一般に、濃縮物とは、所望の洗浄、すすぎなどを提供するために対象物と接触する使用溶液を提供するために水で希釈されることが意図された組成物を指す。濃縮物は、液体または固体の形態であってもよい。さらに、濃縮物を希釈してすぐに使用可能な組成物を作製することができる。すぐに使用可能な組成物は、洗浄すべき物品または水と接触させて使用溶液を作製することができる。物品を、すぐに使用可能な組成物と接触させる場合、水を加えて使用溶液を作製する。洗浄組成物中のカップリング剤、二価イオン、湿潤剤、界面活性剤系、および他の任意要素の機能性成分の濃度は、洗浄組成物が濃縮物として提供されるかまたは使用溶液として提供されるかに依存して変化し得ることを理解されたい。
【０１９６】
濃縮形態の洗浄組成物の例示的な範囲を、組成物の重量パーセントで表１に示す。
【０１９７】
【表１】
0006600086.tif 000019
【０１９８】
本発明の一態様において、濃縮液体洗浄組成物は、粘度が約２００ｃｐｓを超え約４００ｃｐｓ未満、好ましくは約２２０ｃｐｓを超え約３５０ｃｐｓ未満、より好ましくは約２５０ｃｐｓを超え約３００ｃｐｓ未満またはもっと低く、さらに好ましくは約２８０ｃｐｓ以下である。本発明のさらなる態様において、すぐに使用可能な／希釈された液体洗浄組成物は、粘度が約３０ｃｐｓ〜１２５ｃｐｓ、より好ましくは５０ｃｐｓ〜１００ｃｐｓである。
【０１９９】
本発明の別の態様において、液体洗浄組成物は、約４〜約１１、より好ましくは約６〜１０、またはさらにより好ましくは約７〜約９のｐＨを有する。しかしながら、所望の用途および特性に依存して、もっとアルカリ性のｐＨまたはもっと酸性のｐＨが望ましいことが理解されるべきである。そのような場合、ｐＨ調節剤を用い、ｐＨを所望のレベルに調節することができる。
【０２００】
本発明のなおさらなる態様において、液体洗浄組成物は、約１００ｍＬを超える、好ましくは約１２０ｍＬ以上、またはさらにより好ましくは約１３０ｍＬ以上の量の一時的な泡を与える。液体洗浄組成物は、周囲温度で、約７００ｍＬを超える、好ましくは約８００ｍＬ以上、より好ましくは約９００ｍＬ以上、さらにより好ましくは約１０００ｍＬ以上の量の安定な泡を与える。
【０２０１】
濃縮物を約１０％まで希釈し、すぐに使用可能な溶液を作製することができる。所望の洗浄特性を有する使用溶液を提供する希釈比で濃縮物を水で希釈することによって、濃縮物から使用溶液を調製することができる。濃縮物またはすぐに使用可能な溶液のいずれかを希釈し、約１００ｐｐｍ〜約２５００ｐｐｍ、好ましくは約２００ｐｐｍ〜約１５００ｐｐｍ、最も好ましくは約３００ｐｐｍ〜約１０００ｐｐｍ含む使用溶液を形成することができる。最も好ましい実施形態において、使用溶液は、約５００ｐｐｍの洗浄組成物である。使用組成物を作製するために濃縮物を希釈するために使用される水は、希釈水または希釈剤と呼ぶことができ、場所ごとに変わってもよい。
【０２０２】
すぐに使用可能な（使用溶液）形態の液体洗浄組成物の例示的な範囲を、液体洗剤組成物の重量パーセントで表２に示す。
【０２０３】
【表２】
0006600086.tif 000020
【０２０４】
本発明の実施形態において、スルタイン対直鎖アルコールエトキシレートの比率が臨界的であってもよく、約１：１１〜約７：４、好ましくは約１：１〜約４：１、より好ましくは約２：１であることが発見された。本発明の実施形態において、スルタイン対半極性非イオン性界面活性剤の比率が臨界的であってもよく、約３：１〜約１：３、好ましくは約１：１〜約１：３、より好ましくは約１：２であることが発見された。さらに、本発明によって限定されるものではないが、列挙された比率の全ての範囲は、範囲を規定する数を含み、比率の規定された範囲内の各整数を含む。
【０２０５】
洗浄組成物の分注／使用
洗浄組成物は、濃縮物、すぐに使用可能な組成物として、または使用溶液として分注することができる。組成物は、洗浄すべき物品、シンク、または水に直接適用して使用溶液を作製することができる。使用溶液は、前浸漬用途の間に、手動での洗浄用途の直前に、または手動での洗浄用途の間に、物体表面に塗布することができる。
【０２０６】
本発明の一態様において、組成物は、一時的な泡を形成する。一時的な発生する泡は、少なくとも３０秒間、好ましくは少なくとも４５秒間、より好ましくは少なくとも約１分間安定であってもよい。加えて、泡は、油存在下で安定である。図２は、トウモロコシ油存在下での安定性を示す。
【０２０７】
上述の説明は、本発明の広範な要求および制限を理解するための基礎を提供する。以下の実施例および試験データは、本発明の特定の具体的な実施形態の理解を提供する。これらの実施例は、本発明の範囲することを意味するものではない。別段の記載がない限り、以下の実施例で報告される全ての部、パーセントおよび比率は重量基準であり、実施例で使用される全ての試薬は、以下に記載される化学供給業者から得られたか、または入手可能であるか、または従来の技術によって合成されてもよい。
【０２０８】
本明細書中の全ての刊行物および特許出願は、本発明が関連する技術分野の当業者のレベルを示すものである。全ての刊行物および特許出願は、個々の刊行物または特許出願が参照により組み込まれるように具体的かつ個別に示されているのと同程度に、参照により本明細書に組み込まれる。
【０２０９】
実施例
本発明の実施形態は、以下の非限定的な実施例においてさらに定義される。これらの実施例は、本発明の特定の実施形態を示しているが、単なる例示として与えられていることを理解すべきである。上述の議論およびこれらの実施例から、当業者は本発明の本質的な特徴を確認することができ、本発明の精神および範囲から逸脱することなく、種々の使用および条件に合うように、本発明の実施形態の様々な変更および改変を行うことができる。したがって、本明細書に示され、説明されたものに加えて、本発明の実施形態の様々な変更が、上述の説明から当業者には明らかであろう。そのような改変も、添付の特許請求の範囲に含まれるものとする。
【０２１０】
以下の実施例に使用される材料は、本明細書に提供される。
・Ｂｉｏｓｏｆｔ（Ｓ−１０１、ＬＡＳ）：Ｓｔｅｐａｎ  Ｃｏｍｐａｎｙから入手可能な直鎖アルキルベンゼンスルホン酸。
・Ｂａｒｌｏｘ１２：Ｌｏｎｚａから入手可能なラウリルジメチルアミンオキシド界面活性剤。
・Ｂａｒｌｏｘ１４：Ｌｏｎｚａから入手可能なミリスチルジメチルアミンオキシド界面活性剤。
・Ｍａｃｋａｍ  ＬＳＢ−５０：Ｓｏｌｖａｙ−Ｒｈｏｄｉａから入手可能なラウラミドプロピルヒドロキシスルタイン。
・Ｍａｃｋａｍ  ５０−ＳＢ：Ｓｏｌｖａｙ−Ｒｈｏｄｉａから入手可能なコカミドプロピルヒドロキシスルタイン。
・Ｓｕｒｆｏｎｉｃ  Ｌ２４−９：Ｈｕｎｔｓｍａｎから入手可能な炭素数が１２〜１４の直鎖一級アルコールの９モルエトキシレート。
・Ｓｔａｎｄａｐｏｌ  ＷＡＱ−ＬＣ：ＢＡＳＦ  Ｃａｒｅ  Ｃｒｅａｔｉｏｎから入手可能なラウリル硫酸ナトリウム。
【０２１１】
表３Ａおよび３Ｂは、全組成物の重量パーセントにおける配合物の最適化に使用される成分を示す。
【０２１２】
【表３】
0006600086.tif 000021
【０２１３】
【表４】
0006600086.tif 000022
【０２１４】
実施例１
【０２１５】
表３Ａおよび３Ｂの配合物を、試験のために所望の量で調製した。以下の表に示されるように、処方の変形例を調製し、以下のものを加えつつ、１つ以上の１０％希釈を含んでいた。
ａ．４ｇのＭｇＳＯ４（２７％）
ｂ．５ｇのＳＸＳ
ｃ．２ｇのＰＥＧ−１５０ジステアレート
【０２１６】
所望の配合物の調製後、ｐＨおよび粘度を測定し、その変動を決定した。ブルックフィールド粘度計を、スピンドル３番と共に、５０ＲＰＭの速度で濃縮溶液に使用した。表４〜１２は、与えられた実験条件下でのｐＨおよび粘度に関するそれぞれの処方データを示す。
【０２１７】
【表５】
0006600086.tif 000023
【０２１８】
【表６】
0006600086.tif 000024
【０２１９】
処方１ａ、１ｃ、１ｅおよび１ｇの表４Ａに従って溶液を調製したが、溶液の稠度が薄く、より大きなスピンドルでの測定を得るのに十分な容積がなかったため、正確な測定ができなかった。
【０２２０】
【表７】
0006600086.tif 000025
【０２２１】
【表８】
0006600086.tif 000026
【０２２２】
【表９】
0006600086.tif 000027
【０２２３】
【表１０】
0006600086.tif 000028
【０２２４】
【表１１】
0006600086.tif 000029
【０２２５】
【表１２】
0006600086.tif 000030
【０２２６】
【表１３】
0006600086.tif 000031
【０２２７】
【表１４】
0006600086.tif 000032
【０２２８】
【表１５】
0006600086.tif 000033
【０２２９】
表４〜１２に見られる結果を表１３にまとめている。表１３は、濃縮配合物および希釈した配合物それぞれについて、ｐＨ、粘度および透明性を示す。透明性は、液体形態の組成物が無色透明であるかどうかに関する視覚的考察であった。組成物に色が付いている場合、その色を表に示す。
【０２３０】
【表１６】
0006600086.tif 000034
【０２３１】
処方４は、望ましい濃縮物およびすぐに使用可能な粘度を与え、透明であったため、試験した中で最も好ましい処方であることがわかった。さらに、処方４のｐＨは、他の好ましい処方（例えば、処方３）よりも７に近かった。
【０２３２】
実施例２
【０２３３】
実施例１の結果から、液体洗浄組成物に対する界面活性剤系の効果を調べるために、３種類の界面活性剤の改変のため、処方４を選択した。その化学組成を表１４にまとめており、化学物質の重量％を示している。
【０２３４】
【表１７】
0006600086.tif 000035
【０２３５】
この処方の中で、３つの成分（Ｓｕｌｆｏｎｉｃ  Ｌ２４−９、Ｍａｃｋａｍ  ５０−ＳＢおよびＢａｒｌｏｘ  １２）を変え、残りの成分を一定に保った。表１５に示されるような試験のために、これらの成分の比率を変えた一連の配合物を作製した。
【０２３６】
【表１８】
0006600086.tif 000036
【０２３７】
次いで、実施例１に記載したように、これらの配合物を粘度およびｐＨについて試験した。結果を表１６に示す。
【０２３８】
【表１９】
0006600086.tif 000037
【０２３９】
さらに、各配合物について泡安定性試験を行い、一時的な泡の試験を行った。試験手順は、以下の通りである。
試験手順：
１．試験洗剤溶液４０ｍＬを２５０ｍＬのメスシリンダーに加える。
２．全ての試験溶液は周囲温度である。
３．全てのシリンダーにストッパーを付け、回転装置に入れ、しっかりと固定する。
４．シリンダーを３０ｒｐｍで４分間回転させる。最初の泡の高さ（泡のｍＬ数）を記録し、その後、使い捨てピペットを用いてトウモロコシ油１００μＬを加える。シリンダーを３０ｒｐｍで２分間回転させる。泡の高さを記録し、トウモロコシ油１００μＬをピペットで加える。６回以下の油の添加を繰り返す。
【０２４０】
計算：それぞれの洗剤の性能を１つの数字で特徴付けるために、全ての泡の高さを合計し、それぞれの読みから４０ｍＬを引き算する。
【数１】
0006600086.tif 000038
【０２４１】
泡の高さを記録するための注記：泡の高さを測定するために、各２５０ｍＬ目盛り付きシリンダーの目盛りを使用します。実際には泡の体積が測定されているが、これは一般に、高さと呼ばれる。泡の高さは、「泡のミリリットル数」として記録される。これらの試験の結果を表１７にまとめている。
【０２４２】
【表２０】
0006600086.tif 000039
【０２４３】
実施例３
【０２４４】
１５に示す処方４の変形例について、温度安定性も試験した。温度安定性試験は、以下の条件で４週間にわたって実施した。１２０°Ｆ、４℃、室温、および凍結／解凍のサイクル。結果を表１８〜２１にまとめている。
【０２４５】
【表２１】
0006600086.tif 000040
【０２４６】
【表２２】
0006600086.tif 000041
【０２４７】
【表２３】
0006600086.tif 000042
【０２４８】
【表２４】
0006600086.tif 000043
【０２４９】
沈殿物が存在しないか、または解凍後に消える白い沈殿物が存在することが望ましい。種々の配合物は、沈殿物を含まないか、または沈殿物が白色であり、融解時に消える組成物を提供することがわかった。
【０２５０】
実施例４
【０２５１】
濃縮形態の液体洗浄組成物の例示的な実施形態を、様々な量のトウモロコシ油存在下での泡体積を決定するために、硬水存在下、ＤＥＡを含まない洗浄組成物と比較した。表２２は、種々の水条件における溶液Ａと溶液Ｂの比較分析のために、単位マイクロリットルでの添加したトウモロコシ油の量と、単位ミリリットルでの得られた泡体積の量を示す。溶液Ａは、コカミドプロピルベタインとＡＭＰとを含有する既存の手洗い用の洗浄組成物である。溶液Ｂは、コカミドプロピルベタインとヒドロキシスルタインとを含有する本発明の例示的な組成物である。
【０２５２】
【表２５】
0006600086.tif 000044
【０２５３】
溶液Ａを、本発明の複数の組成物に対して試験した。５％の非イオン性界面活性剤を含み、コカミドプロピルベタインを含む組成物を調製した。５％の非イオン性界面活性剤、コカミドプロピルベタインおよびヒドロキシスルタインを含有する組成物を調製した。泡体積の比較を行った。表２３は、本発明の異なる配合物について、単位マイクロリットルでの添加したトウモロコシ油の量と、単位ミリリットルでの得られた泡体積の量を示す。
【０２５４】
【表２６】
0006600086.tif 000045
【０２５５】
表２２および表２３の油データの存在下での泡安定性をそれぞれ図１および２に示す。このデータは、スルタインが泡の硬水耐久性を改善し、非イオン性物質の使用が系を一緒に保つことが見出されたこと、すなわち非イオン性が相安定性を提供することを示している。
【０２５６】
このように本発明を説明したが、これは多くの様式で変更可能であることは明らかである。そのような変形は、本発明の精神および範囲からの逸脱とみなすべきではなく、そのような変更の全ては、以下の特許請求の範囲の範囲内に含まれることが意図される。
【０２５７】
上述の明細書は、開示された組成物および方法の製造および使用の説明を提供する。本発明の精神および範囲から逸脱することなく多くの実施形態を作製することができるので、本発明は特許請求の範囲に属する。以下の項目［１］〜［２０］に、本発明の実施形態の例を列記する。
［１］
直鎖アルコールエトキシレート、半極性非イオン性界面活性剤およびスルタインを含む界面活性剤系を含む、洗浄組成物であって、
前記直鎖アルコールエトキシレートが、前記組成物中に約１重量％〜約１５重量％存在し、前記スルタインが、前記組成物中に約０．５重量％〜約２５重量％存在し；
前記組成物に含まれるジエタノールアミンが、０．５重量％未満であり；
前記スルタイン対前記直鎖アルコールエトキシレートの比が約１：１１〜約７：４であり、前記スルタイン対前記半極性非イオン性界面活性剤の比が約３：１〜約１：３であり、
前記洗浄組成物が、硬水中で約１００ｍＬを超える量の一時的な泡を与える、洗浄組成物。
［２］
前記スルタイン対前記直鎖アルコールエトキシレートの比が約１：１〜約４：１であり、前記スルタイン対前記半極性非イオン性界面活性剤の比が約１：１〜約１：３である、項目１に記載の洗浄組成物。
［３］
前記直鎖アルコールエトキシレートが、６〜１８個の炭素を有する脂肪族アルコールを含み、前記半極性非イオン性界面活性剤が、アミンオキシドを含み、前記スルタインが、ココカットスルタインまたはラウリルカットスルタインを含む、項目１または２に記載の洗浄組成物。
［４］
前記洗浄組成物が液体であり、前記界面活性剤系が前記洗浄組成物の約３０重量％〜約６５重量％含まれる、項目１〜３のいずれか一項に記載の洗浄組成物。
［５］
前記洗浄組成物が、１５ｇｒａｉｎ水で、約１２０ｍＬを超える量の一時的な泡を与える、項目１〜４のいずれか一項に記載の洗浄組成物。
［６］
カップリング剤、二価イオンおよび／または湿潤剤をさらに含む、項目１〜５のいずれか一項に記載の洗浄組成物。
［７］
前記組成物が濃縮形態であり、４００ｃｐｓ未満の粘度を有する、項目１〜６のいずれか一項に記載の洗浄組成物。
［８］
前記組成物が、使用溶液であり、約３０ｃｐｓ〜１２５ｃｐｓの粘度を有する、項目１〜７のいずれか一項に記載の洗浄組成物。
［９］
前記一時的な泡が少なくとも約３０秒間安定である、項目１〜８のいずれか一項に記載の洗浄組成物。
［１０］
直鎖アルコールエトキシレート、両性界面活性剤およびスルタインを含む界面活性剤系と、
カップリング剤と、
二価イオンと
湿潤剤と
を含む、洗浄組成物であって、
前記スルタイン対前記直鎖アルコールエトキシレートの比が約１：１１〜約７：４であり、前記スルタイン対前記半極性非イオン性界面活性剤の比が約３：１〜約１：３であり、
前記組成物は、約４００ｃｐｓ以下の粘度を有し、含まれるジエタノールアミンが０．５重量％未満である、洗浄組成物。
［１１］
前記両性界面活性剤が、半極性非イオン性界面活性剤を含む、項目１０に記載の洗浄組成物。
［１２］
前記界面活性剤系が前記組成物の約３重量％〜約６．５重量％であり、前記カップリング剤が前記組成物の約０．００５重量％〜約０．５重量％の間であり、前記二価イオンが前記組成物の約０．０１重量％〜約０．８重量％であり、前記湿潤剤が前記組成物の約０．４重量％〜約３重量％である、項目１０または１１に記載の洗浄組成物。
［１３］
前記カップリング剤が芳香族スルホネートを含む、項目１０〜１２のいずれか一項に記載の洗浄組成物。
［１４］
前記直鎖アルコールエトキシレートが、６〜１８個の炭素を有する脂肪族アルコールを含み、前記半極性非イオン性界面活性剤が、アミンオキシドを含み、前記スルタインが、ココカットスルタインまたはラウリルカットスルタインを含む、項目１０〜１３のいずれか一項に記載の洗浄組成物。
［１５］
前記直鎖アルコールエトキシレートが前記組成物の約０．１重量％〜約１５重量％であり、前記半極性非イオン性界面活性剤が前記組成物の約０．５重量％〜約２５重量％であり、前記スルタインが前記組成物の約０．５重量％〜約２５重量％である、項目１０〜１４のいずれか一項に記載の洗浄組成物。
［１６］
前記界面活性剤系が前記組成物の約４重量％〜約５．５重量％であり、前記カップリング剤が芳香族スルホネートを含み、前記組成物の約０．０１重量％〜約３重量％であり、前記二価イオンが前記組成物の約０．０５重量％〜約０．５重量％であり、前記湿潤剤が前記組成物の約０．８重量％〜約２．５重量％であり、前記少なくとも１種のさらなる界面活性剤は、両性界面活性剤およびアニオン性界面活性剤を含む、項目１０〜１５のいずれか一項に記載の洗浄組成物。
［１７］
表面を洗浄する方法であって、前記方法は：
濃縮洗浄組成物を、濃縮洗浄組成物対水の比率が約１：２〜約１：２５０になるように水で希釈し、粘度が約２５ｃｐｓ〜約１２５ｃｐｓの使用溶液を作製することであって、前記濃縮洗浄組成物が、直鎖アルコールエトキシレート、両性界面活性剤およびスルタインで構成される界面活性剤系と、カップリング剤と、二価イオンと、湿潤剤とを含み、前記濃縮洗浄組成物が、ジエタノールアミンを実質的に含まない、ことと；
表面を前記使用溶液と接触させることと；
前記表面をすすぐことと
を含む、方法。
［１８］
前記両性界面活性剤が、半極性非イオン性界面活性剤を含み、前記カップリング剤が、芳香族スルホネートを含む、項目１７に記載の方法。
［１９］
前記界面活性剤系が、前記濃縮洗浄組成物の約３重量％〜約６．５重量％であり、前記カップリング剤が、前記濃縮洗浄組成物の約０．００５重量％〜約０．５重量％であり、前記二価イオンが、前記濃縮洗浄組成物の約０．０１重量％〜約０．８重量％であり、前記湿潤剤が、前記濃縮洗浄組成物の約０．４重量％〜約３重量％である、項目１７または１８に記載の方法。
［２０］
前記直鎖アルコールエトキシレートが、６〜１８個の炭素を有する脂肪族アルコールを含み、前記組成物の約０．１重量％〜約１５重量％であり、前記半極性非イオン性界面活性剤がアミンオキシドを含み、前記組成物の約０．５重量％〜約２５重量％であり、前記スルタインが、ココカットスルタインまたはラウリルカットスルタインを含み、前記組成物の約０．５重量％〜約２５重量％である、項目１７〜１９のいずれか一項に記載の方法。
【図１】
0006600086.tif 000046
【図２】
0006600086.tif 000047